(57)【要約】  スラット組立体は、第１受容部及び第２受容部を有するスラットを含んでもよい。第１受容部及び第２受容部は、鋭角を形成する一対の屈曲部である。スラット組立体は、スラット上に並べられた断熱層をさらに備えていてもよい。スラット組立体は、断熱層の第１部分をスラットの第１受容部に押し込み、断熱層の第２部分をスラットの第２受容部に押し込むように断熱層上に配置された保持機構をさらに備えて、保持機構が第１受容部及び第２受容部と協働して、断熱層を留め具で穴あけ又は貫通することなく、保持機構とスラットとの間に断熱層を保持し得るようにしてもよい。スラット組立体を備えるローラーシャッター。スラット組立体を製造する方法及びローラーシャッターを製造する方法。
2021508796.tif 000002
【特許請求の範囲】
【請求項１】
ローラーシャッター用のスラット組立体であって、
断熱層と、
第１受容部及び第２受容部を有するスラットであって、前記断熱層が並べられ、前記スラットの前記第１受容部及び前記第２受容部が前記スラットの一対の屈曲部であり、前記一対の屈曲部のそれぞれが鋭角である、スラットと、
前記断熱層の第１部分を前記スラットの前記第１受容部に押し込み、前記断熱層の第２部分を前記スラットの前記第２受容部に押し込むように前記断熱層上に配置された保持機構であって、前記スラットの前記第１受容部及び前記第２受容部と協働して前記保持機構と前記スラットとの間に前記断熱層を保持するようにした、保持機構と、
を備える、スラット組立体。
【請求項２】
請求項１に記載の組立体であって、
前記スラットの前記第１受容部及び前記第２受容部は、前記スラットに沿って長手方向に延び、互いに平行である組立体。
【請求項３】
請求項１又は２に記載の組立体であって、
前記スラットの前記一対の屈曲部は、Ｖ字形断面又はＵ字形断面又は馬蹄形断面を有する一対の溝を形成する組立体。
【請求項４】
請求項３に記載の組立体であって、
前記一対の溝が互いに対向している組立体。
【請求項５】
請求項３又は４に記載のスラット組立体であって、
第１押出部材をさらに備え、前記第１押出部材は、前記断熱層の前記第１部分と前記保持機構との間に配置され、前記第１押出部材は、前記一対の溝のうちの第１溝と整列するスラット組立体。
【請求項６】
請求項５に記載のスラット組立体であって、
前記第１押出部材は、Ｖ字形断面又はＵ字形断面又は馬蹄形断面を有するバーを備えるスラット組立体。
【請求項７】
請求項５又は６に記載のスラット組立体であって、
第２押出部材をさらに備え、前記第２押出部材は、前記断熱層の前記第２部分と前記保持機構との間に配置され、前記第２押出部材は、前記一対の溝のうちの第２溝と整列するスラット組立体。
【請求項８】
請求項７に記載のスラット組立体であって、
前記第２押出部材は、Ｖ字形断面又はＵ字形断面又は馬蹄形断面を有するバーを備えるスラット組立体。
【請求項９】
請求項１乃至８のいずれか１項に記載のスラット組立体であって、
前記保持機構は、予圧されて、前記断熱層の前記第１部分及び前記第２部分を前記スラットのそれぞれの第１受容部及び第２受容部に付勢するための膨張力を供給するスラット組立体。
【請求項１０】
請求項１乃至９のいずれか１項に記載のスラット組立体であって、
前記保持機構は、前記スラットの前記第１受容部と前記第２受容部との間の距離よりも長い長さを有する弾性材料のストリップの形態の挿入体を備えるスラット組立体。
【請求項１１】
請求項１乃至１０のいずれか１項に記載のスラット組立体であって、
前記スラットの第１長手縁部が、前記スラットの長手軸に向かって内向きにカールされて第１カール縁部を形成し、前記スラットの第２長手縁部が、前記スラットの前記長手軸から離れるように外向きにカールされて第２カール縁部を形成するスラット組立体。
【請求項１２】
請求項１１に記載のスラット組立体であって、
前記第１カール縁部は、前記第２カール縁部よりも小さいカール半径を有するスラット組立体。
【請求項１３】
請求項１乃至１２のいずれか１項に記載のスラット組立体であって、
前記断熱層は、２つの断熱布の層の間に挟まれた断熱ウールの層を含むスラット組立体。
【請求項１４】
請求項１乃至１３のいずれか１項に記載のスラット組立体であって、
２つのサイドカバーをさらに備え、一方のサイドカバーは、前記スラットの一端に取り付けられ、各サイドカバーは、前記スラットの前記端のそれぞれに沿って前記断熱層の縁部のそれぞれを覆うように構成されているスラット組立体。
【請求項１５】
ローラーシャッターであって、
次々に枢動可能に連結してシャッター幕を形成する複数のスラットと、
前記複数のスラットのうちの少なくとも２つの隣接する枢動可能に連結したスラットにわたって並べられた断熱層と、
前記断熱層の一部を前記少なくとも２つの隣接する枢動可能に連結したスラットのうちの１つの第１受容部に押し込み、前記断熱層のさらなる一部を前記少なくとも２つの隣接する枢動可能に連結したスラットのうちの前記１つの第２受容部に押し込むように前記断熱層上に配置された少なくとも１つの保持機構であって、前記少なくとも１つの保持機構が前記少なくとも２つの隣接する枢動可能に連結したスラットのうちの前記１つの前記第１受容部及び前記第２受容部と協働して前記少なくとも１つの保持機構と前記少なくとも２つの隣接する枢動可能に連結したスラットとの間に前記断熱層を保持するようにした少なくとも１つの保持機構と、を備え、
前記少なくとも２つの隣接する枢動可能に連結したスラットのうちの前記１つの前記第１受容部及び前記第２受容部は、前記少なくとも２つの隣接する枢動可能に連結したスラットのうちの前記１つの一対の屈曲部であり、前記一対の屈曲部のそれぞれは、鋭角を形成するローラーシャッター。
【請求項１６】
請求項１５に記載のローラーシャッターであって、
前記少なくとも２つの隣接する枢動可能に連結したスラットのうちの前記１つの前記一対の屈曲部は、Ｖ字形断面又はＵ字形断面又は馬蹄形断面を有する一対の平行な対向溝を形成するローラーシャッター。
【請求項１７】
請求項１５に記載のローラーシャッターであって、
少なくとも１つの押出部材をさらに備え、前記少なくとも１つの押出部材は、前記断熱層と前記少なくとも１つの保持機構との間に配置され、前記少なくとも１つの押出部材は、前記少なくとも２つの隣接する枢動可能に連結されたスラットのうちの前記１つの前記一対の平行な対向溝のうちの１つの溝と整列するローラーシャッター。
【請求項１８】
請求項１７に記載のローラーシャッターであって、
前記少なくとも１つの第１押出部材は、Ｖ字形断面又はＵ字形断面又は馬蹄形断面を有するバーを備えるローラーシャッター。
【請求項１９】
請求項１５乃至１８のいずれか１項に記載のローラーシャッターであって、
前記少なくとも１つの保持機構は、予圧されて、前記断熱層の前記それぞれの部分を前記少なくとも２つの隣接する枢動可能に連結したスラットのうちの前記１つのそれぞれの前記第１受容部及び前記第２受容部に付勢するための膨張力を供給するローラーシャッター。
【請求項２０】
請求項１５乃至１９のいずれか１項に記載のローラーシャッターであって、
前記少なくとも１つの保持機構は、前記少なくとも２つの隣接する枢動可能に連結したスラットのうちの前記１つの前記第１受容部と前記第２受容部との間の距離よりも長い長さを有する弾性材料のストリップの形態の挿入体を備えるローラーシャッター。
【請求項２１】
請求項１５乃至２０のいずれか１項に記載のローラーシャッターであって、
前記断熱層は、２つの断熱布の層の間に挟まれた断熱ウールの層を含むローラーシャッター。
【請求項２２】
請求項１５乃至２１のいずれか１項に記載のローラーシャッターであって、
前記ローラーシャッターは、前記複数のスラットを２組備えて２つのシャッター幕を形成し、下降した状態にあるとき、前記２つのシャッター幕が離間し、互いに向き合っているローラーシャッター。
【請求項２３】
請求項２２に記載のローラーシャッターであって、
前記２つのシャッター幕の足部が、重なり合った配置の断熱ブロックを備えて前記２つのシャッター幕の前記足部間のギャップをシールするローラーシャッター。
【請求項２４】
請求項２２又は２３に記載のローラーシャッターであって、
前記２つのシャッター幕の第１シャッター幕が、第１モーターによって駆動される第１ドラムに取り付けられ、前記２つのシャッター幕の第２シャッター幕が、第２モーターによって駆動される第２ドラムに取り付けられ、前記ドラムの両方の回転を協調的に同時に同じ方向に駆動することにより、前記シャッター幕の両方を同期的に同時に巻き取り又は巻き出すローラーシャッター。
【請求項２５】
請求項２２又は２３に記載のローラーシャッターであって、
前記２つのシャッター幕の第１シャッター幕が、第１モーターによって駆動される第１ドラムに取り付けられ、前記２つのシャッター幕の第２シャッター幕が、第２モーターによって駆動される第２ドラムに取り付けられ、前記ドラムの両方の回転を協調的に同時に反対方向に駆動することにより、前記シャッター幕の両方を同期的に同時に巻き取り又は巻き出すローラーシャッター。
【請求項２６】
請求項２２又は２３に記載のローラーシャッターであって、
前記２つのシャッター幕は、第１モーターによって駆動される１つの単一ドラムに取り付けられ、前記２つのシャッター幕は、前記ドラムの回転を駆動することにより前記２つのシャッター幕を同期的に同時に巻き取り又は巻き出すように前記１つの単一のドラムに取り付けられるローラーシャッター。
【請求項２７】
請求項２６に記載のローラーシャッターであって、
各シャッター幕の前記複数のスラットのそれぞれの連結要素が、前記少なくとも２つの隣接する枢動可能に連結したスラットの間に横方向の余裕を提供して、前記少なくとも２つの隣接する枢動可能に連結したスラットが吊り下げ態様又は積み重ね態様になるようにし、前記２つのシャッター幕の下端が、互いに固定して結合されているローラーシャッター。
【請求項２８】
スラット組立体を製造する方法であって、
第１受容部及び第２受容部を有するスラットを設けることであって、前記スラットの前記第１受容部及び前記第２受容部が前記スラットの一対の屈曲部であり、前記一対の屈曲部のそれぞれが鋭角である、設けることと、
前記スラットを断熱層上に並べることと、
前記断熱層の第１部分を前記スラットの前記第１受容部に押し込み、前記断熱層の第２部分を前記スラットの前記第２受容部に押し込むように前記断熱層上に保持機構を配置することであって、前記保持機構が前記スラットの前記第１受容部及び前記第２受容部と協働して前記保持機構と前記スラットとの間に前記断熱層を保持するようにする、配置することと、
を含む方法。
【請求項２９】
請求項２８に記載の方法であって、
請求項１乃至１４のいずれか１項に記載のスラット組立体を構成することをさらに含む方法。
【請求項３０】
ローラーシャッターを製造する方法であって、
次々に枢動可能に連結してシャッター幕を形成する複数のスラットを設けることと、
前記複数のスラットのうちの少なくとも２つの隣接する枢動可能に連結したスラットにわたって断熱層を並べることと、
前記断熱層の一部を前記少なくとも２つの隣接する枢動可能に連結したスラットのうちの１つの第１受容部に押し込み、前記断熱層のさらなる一部を前記少なくとも２つの隣接する枢動可能に連結したスラットのうちの前記１つの第２受容部に押し込むように前記断熱層上に少なくとも１つの保持機構を配置することであって、前記少なくとも１つの保持機構が前記少なくとも２つの隣接する枢動可能に連結したスラットのうちの前記１つの前記第１受容部及び前記第２受容部と協働して前記少なくとも１つの保持機構と前記少なくとも２つの隣接する枢動可能に連結したスラットとの間に前記断熱層を保持するようにした、配置することと、を含み、
前記少なくとも２つの隣接する枢動可能に連結したスラットのうちの前記１つの前記第１受容部及び前記第２受容部は、前記少なくとも２つの隣接する枢動可能に連結したスラットのうちの前記１つの一対の屈曲部であり、前記一対の屈曲部のそれぞれは、鋭角を形成する方法。
【請求項３１】
請求項３０に記載の方法であって、
請求項１５乃至２７のいずれか１項に記載のローラーシャッターを構成することをさらに含む方法。
【発明の詳細な説明】
【技術分野】
【０００１】
実施形態は、概して、ローラーシャッター用のスラット組立体、ローラーシャッター、スラット組立体を製造する方法、及びローラーシャッターを製造する方法に関する。
【背景技術】
【０００２】
ローラーシャッターは、各建物の密閉空間への物理的なアクセスを管理するために、小売店、倉庫、ビル、格納庫、ガレージなどの様々な種類の建物の入り口に一般的に設置されている。ローラーシャッターのシャッター幕が下がっている場合、それは風及び／又は雨等の環境的要因に対する保護を提供する。また、それは侵入又は押し入りに対するセキュリティ保護も提供する。特定の用途においては、延焼を防ぐための防火壁としても機能する必要がある。さらに、いくつかの国の消防法によると、区画壁のこれらの防火シャッターも厳しい基準に従って断熱する必要がある。これらのシャッターのほとんどは、火災の際に熱伝導の良い鋼などの金属でできているので、ローラーシャッターのシャッター幕は、炎が一定期間通過するのを物理的に防ぐことができる一方、シャッター幕は、シャッター幕の反対側への火災の広がりを急速に招き得る熱の伝導を妨げることができない。
【発明の概要】
【発明が解決しようとする課題】
【０００３】
一般に、ローラーシャッターを断熱する一般的な方法は、断熱ブランケット又は断熱マット又は断熱シートなどの断熱層をローラーシャッターのシャッター幕の後ろに配置することである。例えば、断熱層は、ローラーシャッターのシャッター幕のサイズにカスタマイズされて、シャッター幕と一緒に巻かれるように構成されることがある。断熱層の断熱の完全性を維持するために、断熱層は、単にシャッター幕に対して平らに設置されることがある。しかしながら、そのような構成では、断熱層は、シャッター幕での巻き取り及び巻き出しの際に、ずれたり、膨らんだり、裂けたり、過度に伸びたりする可能性がある。そこで、より最近では、断熱層を貫通するリベット又はねじを介して断熱層をシャッター幕に固定し、リベット又はねじを介して断熱層を通る熱の伝導を最小限に抑えるために追加の断熱コンポーネントを提供することが提案されている。しかしながら、そのような構成は、通常複雑であるし、経済的ではなく、断熱コンポーネントがリベット又はねじを介して断熱層を通る熱の伝導を最小限に抑えるのに効果的であることを保証するために高度なメンテナンスが必要になり得る。
【課題を解決するための手段】
【０００４】
様々な実施形態によると、ローラーシャッター用のスラット組立体が提供されている。前記スラット組立体は、第１受容部及び第２受容部を有するスラットを備えていてもよい。前記スラット組立体は、前記スラット上に並べられた断熱層をさらに備えていてもよい。前記スラットの前記第１受容部及び前記第２受容部は、前記スラットの一対の屈曲部であってもよい。前記一対の屈曲部のそれぞれは、鋭角を形成していてもよい。前記スラット組立体は、前記断熱層の第１部分を前記スラットの前記第１受容部に押し込み、前記断熱層の第２部分を前記スラットの前記第２受容部に押し込むように前記断熱層上に配置された保持機構をさらに備えて、前記保持機構が前記スラットの前記第１受容部及び前記第２受容部と協働して前記保持機構と前記スラットとの間に前記断熱層を保持し得るようにしてもよい。
【０００５】
様々な実施形態によると、ローラーシャッターが提供されている。前記ローラーシャッターは、次々に枢動可能に連結してシャッター幕を形成する複数のスラットを備えていてもよい。前記ローラーシャッターは、前記複数のスラットのうちの少なくとも２つの隣接する枢動可能に連結したスラットにわたって並べられた断熱層をさらに備えていてもよい。前記ローラーシャッターは、前記断熱層の一部を少なくとも２つの隣接する枢動可能に連結したスラットのうちの１つの第１受容部に押し込み、前記断熱層のさらなる一部を前記少なくとも２つの隣接する枢動可能に連結したスラットのうちの１つの第２受容部に押し込むように前記断熱層上に配置された少なくとも１つの保持機構をさらに備えて、前記少なくとも１つの保持機構が前記少なくとも２つの隣接する枢動可能に連結したスラットのうちの前記１つの前記第１受容部及び前記第２受容部と協働して前記少なくとも１つの保持機構と前記少なくとも２つの隣接する枢動可能に連結したスラットとの間に前記断熱層を保持し得るようにしてもよい。様々な実施形態によると、前記少なくとも２つの隣接する枢動可能に連結したスラットのうちの前記１つの前記第１受容部及び前記第２受容部は、前記少なくとも２つの隣接する枢動可能に連結したスラットのうちの前記１つの一対の屈曲部であってもよい。前記一対の屈曲部のそれぞれは、鋭角を形成していてもよい。
【０００６】
様々な実施形態によると、スラット組立体を製造する方法が提供されている。前記方法は、第１受容部及び第２受容部を有するスラットを設けることを含んでいてもよい。前記スラットの前記第１受容部及び前記第２受容部は、前記スラットの一対の屈曲部であってもよい。前記一対の屈曲部のそれぞれは、鋭角を形成していてもよい。前記方法は、前記スラット上に断熱層を並べることをさらに含んでいてもよい。前記方法は、前記断熱層の第１部分を前記スラットの第１受容部に押し込み、前記断熱層の第２部分を前記スラットの第２受容部に押し込むように前記断熱層上に保持機構を配置することをさらに含んで、前記保持機構が前記スラットの前記第１受容部及び前記第２受容部と協働して前記保持機構と前記スラットとの間に前記断熱層を保持し得るようにしてもよい。
【０００７】
様々な実施形態によると、ローラーシャッターを製造する方法が提供されている。前記方法は、次々に枢動可能に連結してシャッター幕を形成する複数のスラットを設けることを含んでいてもよい。前記方法は、前記複数のスラットのうちの少なくとも２つの隣接する枢動可能に連結したスラットにわたって断熱層を並べることをさらに含んでいてもよい。前記方法は、前記断熱層の一部を少なくとも２つの隣接する枢動可能に連結したスラットのうちの１つの第１受容部に押し込み、前記断熱層のさらなる一部を前記少なくとも２つの隣接する枢動可能に連結したスラットのうちの１つの第２受容部に押し込むように前記断熱層上に少なくとも１つの保持機構を配置することをさらに含んで、前記少なくとも１つの保持機構が前記少なくとも２つの隣接する枢動可能に連結したスラットのうちの前記１つの前記第１受容部及び前記第２受容部と協働して前記少なくとも１つの保持機構と前記少なくとも２つの隣接する枢動可能に連結したスラットとの間に前記断熱層を保持し得るようにしてもよい。様々な実施形態によると、前記少なくとも２つの隣接する枢動可能に連結したスラットのうちの前記１つの前記第１受容部及び前記第２受容部は、前記少なくとも２つの隣接する枢動可能に連結したスラットのうちの前記１つの一対の屈曲部であってもよい。前記一対の屈曲部のそれぞれは、鋭角を形成していてもよい。
本明細書で提供される説明及びその利点のより完全な理解のために、添付の図面及び詳細な説明に関連して、以下の簡単な説明を参照する。ここで、同様の参照番号は同様の部分を表す。図面において、図は、必ずしも縮尺通りではなく、代わりに、本発明の原理を表すことに一般的に重点が置かれている。以下の説明では、様々な実施形態が以下の図面を参照して説明されている。
【図面の簡単な説明】
【０００８】
【図１Ａ】様々な実施形態によるローラーシャッター用のスラット組立体の分解図を示す。
【図１Ｂ】様々な実施形態による図１Ａのスラット組立体の組立図を示す。
【図１Ｃ】様々な実施形態による図１Ａのスラット組立体のスラットの一部の斜視図を示す。
【図１Ｄ】様々な実施形態による図１Ｃのスラットの側面図を示す。
【図２Ａ】様々な実施形態によるローラーシャッター用のスラット組立体の分解図を示す。
【図２Ｂ】様々な実施形態による図２Ａのスラット組立体の組立図を示す。
【図３Ａ】様々な実施形態によるシャッター幕組立体の斜視図を示す。
【図３Ｂ】様々な実施形態による図３Ａのシャッター幕組立体の側面図を示す。
【図３Ｃ】様々な実施形態による図３Ａのシャッター幕組立体の一部の拡大側面図を示す。
【図４】様々な実施形態によるシャッター幕組立体の斜視図を示す。
【図５Ａ】様々な実施形態による垂直ローラーシャッターの上部の側面断面図を示す。
【図５Ｂ】様々な実施形態による、下降した状態にあるときの垂直ローラーシャッターの下部の側面断面図を示す。
【図６】様々な実施形態による垂直ローラーシャッターの上部の側面断面図を示す。
【図７】様々な実施形態による側方ローラーシャッターの上面断面図を示す。
【図８】様々な実施形態による側方ローラーシャッターの上面断面図を示す。
【図９】様々な実施形態による垂直ローラーシャッターの上部の概略側面図を示す。
【図１０Ａ】様々な実施形態による、下降した状態の垂直ローラーシャッターの正面図を示す。
【図１０Ｂ】様々な実施形態による、下降した状態の垂直ローラーシャッターの断面側面図を示す。
【図１０Ｃ】様々な実施形態による図１０Ａの垂直ローラーシャッターの上面図からのモーター組立体の位置を示す。
【図１０Ｄ】様々な実施形態による図１０Ａの垂直ローラーシャッターの実際の実装の写真を示す。
【図１１Ａ】様々な実施形態による垂直ローラーシャッターの上部の概略側面図を示す。
【図１１Ｂ】様々な実施形態による図１１Ａの垂直ローラーシャッターの実際の実装の写真を示す。
【図１２Ａ】様々な実施形態による側方ローラーシャッターの上面断面図を示す。
【図１２Ｂ】様々な実施形態による側方ローラーシャッターの上面断面図を示す。
【図１３】様々な実施形態による垂直ローラーシャッターの上部の概略側面図を示す。
【図１４Ａ】様々な実施形態による側方ローラーシャッターの上面断面図を示す。
【図１４Ｂ】様々な実施形態による側方ローラーシャッターの上面断面図を示す。
【図１５Ａ】様々な実施形態による、吊り下げ態様で互いに枢動可能に連結した２つのスラットの側面図を示す。
【図１５Ｂ】様々な実施形態による、積み重ね態様で互いに枢動可能に連結した２つのスラットの側面図を示す。
【図１５Ｃ】様々な実施形態による、吊り下げ態様の２つのスラットの斜視図を示す。
【図１５Ｄ】様々な実施形態による、積み重ね態様の２つのスラットの斜視図を示す。
【図１６】様々な実施形態による垂直ローラーシャッター１６００の概略側面図を示す。
【図１７Ａ】図１６の垂直ローラーシャッターのそれぞれのシャッター幕組立体の複数のスラットがどのように積み重ねられるかのシーケンスを示す。
【図１７Ｂ】図１６の垂直ローラーシャッターのそれぞれのシャッター幕組立体の複数のスラットがどのように積み重ねられるかのシーケンスを示す。
【図１７Ｃ】図１６の垂直ローラーシャッターのそれぞれのシャッター幕組立体の複数のスラットがどのように積み重ねられるかのシーケンスを示す。
【図１８】様々な実施形態による垂直ローラーシャッター１８００の概略側面図を示す。
【発明を実施するための形態】
【０００９】
装置と関連して後述される実施形態は各方法に類似的に有効であり、その逆も同様である。さらに、後述する実施形態が組み合わされてもよく、例えば、一実施形態の一部が他の実施形態の一部に組み合わされてもよいことが理解されるであろう。
【００１０】
以下の説明で使用される場合の「の上に」、「に亘って」、「上部」、「底部」、「下」、「側方」、「後ろ」、「左」、「右」、「前」、「側面」、「側方」、「上」、「下」等の用語は、便宜上使用され、相対的な位置又は方向を理解することを補助するものであり、いかなる装置若しくは構造の向き又はいかなる装置若しくは構造のいかなる部分をも制限することを意図しないと理解されるべきである。加えて、単数の用語（「ａ」、「ａｎ」、及び「ｔｈｅ」）は、文脈で別段、明記されない限り、複数の参照も含む。同様に、「又は」という単語は、文脈で別段、明記されない限り、「及び」を含むことが意図される。
【００１１】
ローラーシャッター用のスラット組立体、ローラーシャッター、ローラーシャッター用のスラット組立体を製造する方法、及びローラーシャッターを製造する方法の様々な実施形態が、以前に特定された問題の少なくともいくつかに対処するために提供されている。
【００１２】
様々な実施形態によると、断熱ブランケット又は断熱マット又は断熱シートの形態の断熱層は、留め具で断熱層を穴あけ又は貫通することなく、ローラーシャッターのシャッター幕のスラットに固定され又は取り付けされ又は締結されてもよい。従って、断熱層は、シャッター幕のスラットが断熱層を通って「熱橋」を形成し得る留め具を不要とするようにローラーシャッターのシャッター幕に固定され又は取り付けられ又は締結されてもよい。それ故、断熱層は無傷となり得、断熱層の断熱完全性は、断熱層がシャッター幕に断熱を提供するのに効果的であり得るように完全に維持され得る。同時に、断熱層の位置ずれ、膨らみ、裂け目、又は過伸展を最小限に抑え、又は排除するように断熱層がシャッター幕と一緒に巻かれたり、広げたりするように断熱層をシャッター幕に適切に固定、取り付け、又は締結してもよい。
【００１３】
図１Ａは、様々な実施形態によるローラーシャッター用のスラット組立体１００の分解図を示す。図１Ｂは、様々な実施形態による図１Ａのスラット組立体１００の組立図を示す。様々な実施形態によると、スラット組立体１００は、第１受容部１３０及び第２受容部１４０を有するスラット１１０を備えていてもよい。
【００１４】
様々な実施形態によると、スラット１１０は、例えば鋼又はアルミニウムなどの金属などの材料の細くて平らなストリップであってもよい。様々な実施形態によると、スラット１１０の第１受容部１３０及び第２受容部１４０は、例えば、凹部（recess portions）、くぼみ（indentations）、スロット（slots）、溝（grooves）、へこみ（depressions）、折り畳み部（folded portions）、屈曲部（bent portions）、チャネル（channels）、切り込み（cuts）、すじ（furrows）、トレンチ（trench）、ガター（gutter）、又は、外部断熱要素又は断熱層などのパーツ若しくはコンポーネントを受容（receiving）、収納（containing）、収容（accommodating）、保持（holding）、又は維持（retaining）するように構成されたキャビティ（cavity）、ギャップ（gap）、中空（hollow）、ボイド（void）、又は空の空間（empty space）を提供する任意の適切な特徴を備えていてもよい。
【００１５】
図１Ｃは、様々な実施形態によるスラット１１０の一部の斜視図を示す。図１Ｄは、様々な実施形態によるスラット１１０の側面図を示す。スラット１１０は、第１長手縁部１１４と第２長手縁部１１６との間に主要部１１２を備えていてもよい。スラット１１０の主要部１１２は、隣接するスラットの主要部と並行して並んで又は横並びで置かれてシャッター幕を形成するようにしたスラット１１０の主要本体であってもよい。
【００１６】
示されるように、スラット１１０の第１受容部１３０は、スラット１１０の第１長手縁部１１４における内向き屈曲１３２（又は内向き折り目）であってもよい。様々な実施形態によると、スラット１１０は、金属の細長いシートなどの細長材料シートから形成又は成形又はプロファイル化又は製造又はモールド又はプレスされてもよい。従って、第１長手縁部１１４における内向き屈曲１３２は、材料シートの第１長手縁１１３をスラット１１０の長手軸１１１に向かって長さ方向内向きに曲げること又は折り畳むことから形成されてもよい。それ故、内向き屈曲１３２は、スラット１１０の主要部１１２に直接隣接してもよい。示されるように、スラット１１０の第１細長張出部１３１は、第１長手縁部１１４の内向き屈曲１３２から横方向に延びて、スラット１１０の第１細長張出部１３１がスラット１１０の主要部１１２に対して９０°未満の角度をなすようにしてもよい。従って、スラット１１０の第１細長張出部１３１及びスラット１１０の主要部１１２は、Ｖ字形又はＵ字形又は馬蹄形の断面を有する溝を形成してもよく、第１長手縁部１１４の内向き屈曲１３２は、鋭角であってもよい。示されるように、スラット１１０の第２受容部１４０は、スラット１１０の第２長手縁部１１６における内向き屈曲１４２（又は内向き折り目）であってもよい。様々な実施形態によると、第２長手縁部１１６における内向き屈曲１４２は、材料シートの第２長手縁１１５をスラット１１０の長手軸１１１に向かって長さ方向内向きに曲げること又は折り畳むことから形成されてもよい。従って、内向き屈曲１４２は、スラット１１０の主要部１１２に直接隣接してもよい。示されるように、スラット１１０の第２細長張出部１４１は、第２長手縁部１１６の内向き屈曲部１４２から横方向に延びて、スラット１１０の第２細長張出部１４１がスラット１１０の主要部１１２に対して９０°未満の角度をなすようにしてもよい。従って、スラット１１０の第２細長張出部１４１及びスラット１１０の主要部１１２は、Ｖ字形又はＵ字形又は馬蹄形の断面を有する溝を形成してもよく、第２長手縁部１１６の内向き屈曲１４２は、鋭角であってもよい。示されるように、第１長手縁部１１４及び第２長手縁部１１６のそれぞれにおける一対の内向き屈曲１３２、１４２は、スラット１１０の全長を通って延びてもよく、少なくとも互いに略平行であってもよい。様々な他の実施形態によると、第１長手縁部での内向き屈曲及び第２長手縁部での内向き屈曲は、スラットの長さの一部のみに沿って延びてもよい。様々な他の実施形態によると、一対の内向き屈曲は、互いに非平行であってもよい。
【００１７】
様々な実施形態によると、第１長手縁部１１４における内向き屈曲１３２及び第２長手縁部１１６における内向き屈曲１４２は、互いに対向し得て且つＶ字形又はＵ字形又は馬蹄形の断面を有し得る一対の溝１３４、１４４を形成してもよい。従って、一対の溝１３４、１４４は、スラット１１０の一対の内向き屈曲部（又は折り畳み部）であってもよい。スラット１１０の一対の内向き屈曲部のそれぞれは、スラットの長手軸に向かって内向きに曲がることから形成されてそれぞれの鋭角を形成するようにしてもよい。
【００１８】
図１Ｃ及び図１Ｄに示されるように、第１長手縁部１１４における内向き屈曲１３２には、細長材料シートの第１長手縁１１３をスラット１１０の長手軸１１１から長さ方向に離れてその後に曲げること又は折り畳むことから形成される外向き屈曲１１８（又は外向き折り目）が続いていてもよい。従って、第１細長張出部１３１から、材料シートは、スラット１１０の長手軸１１１から離れるように外向きに曲げられるか又は折り畳まれて、外向き屈曲１１８を形成してもよい。示されるように、スラット１１０の細長翼状部１１９は、外向き屈曲１１８から横方向に延びて、スラット１１０の細長翼状部１１９がスラット１１０の第１細長張出部１３１に対して９０°未満の角度をなすようにしてもよい。従って、スラット１１０の細長翼状部１１９及びスラット１１０の第１細長張出部１３１は、Ｖ字形又はＵ字形の断面を形成してもよく、第１長手縁部１１４の外向き屈曲１１８は、鋭角であってもよい。さらに、第１長手縁部１１４の外向き屈曲１１８には、細長材料シートの第１長手縁部１１３をスラット１１０の長手軸１１１に向かって長さ方向内向きにその後にカールすることから形成される内向きカール１２０が続いていてもよい。従って、スラット１１０の翼状部１１９から、材料シートは、スラット１１０の長手軸１１１に向かって内向きにカールし得る。それ故、内向きカール１２０は、スラット１１０の第１カール縁部を形成してもよい。スラット１１０の第１カール縁部は、スラット１１０の第１連結要素であってもよい。従って、スラット１１０の第１カール縁部は、別のスラットの対応する連結要素と係合して、連結して、又は相互作用して、２つのスラットを一緒に枢動可能に接合するように構成されてもよい。様々な実施形態によると、スラット１１０の第１長手縁部１１４は、内向き屈曲１３２、第１細長張出部１３１、外向き屈曲１１８、細長翼状部１１９、及び内向きカール１２０を備えていてもよい。
【００１９】
さらに、同じく示されるように、第２長手縁部１１６における内向き屈曲１４２には、細長材料シートの第２長手縁１１５をスラット１１０の長手軸１１１から長さ方向外向きに離れてその後にカールすることから形成される外向きカール１２２が続いていてもよい。従って、第２細長張出部１４１から、材料シートは、スラット１１０の長手軸１１１から離れるように外向きにカールさせて、外向きカール１２２を形成してもよい。それ故、外向きカール１２２は、スラット１１０の第２カール縁部を形成してもよい。スラット１１０の第２カール縁部は、スラット１１０の第２連結要素であってもよい。第１カール縁部と同様に、スラット１１０の第２カール縁部は、別のスラットの対応する連結要素と係合して、連結して、又は相互作用して、２つのスラットを一緒に枢動可能に接合するように構成されてもよい。様々な実施形態によると、スラット１１０の第２長手縁部１１６は、内向き屈曲１４２、第２細長張出部１４１、及び外向きカール１２２を備えていてもよい。
【００２０】
様々な実施形態によると、第１長手縁部１１４における内向きカール１２０のカール半径は、第２長手縁部１１６における外向きカール１２２のカール半径よりも小さくてもよい。従って、２つの隣接するスラットは、例えば、第１スラットの第１長手縁部における内向きカールと、第２スラットの第２長手縁部における外向きカールとの重ね合わせ、嵌合、連結、係合、相互作用又は結合によって一緒に接合されて、第１スラットが第２スラットに枢動可能に結合されるようにしてもよい。様々な実施形態によると、スラット１１０は、連続して次々とさらなるスラット１１０と重なり合うか、嵌合するか、連結するか、又は接合されてシャッター幕を形成するように構成されてもよい。
【００２１】
図１Ａ及び図１Ｂを再び参照すると、スラット組立体１００は、スラット１１０上に並んだ断熱層１５０をさらに備えていてもよい。様々な実施形態によると、断熱層１５０は、断熱ブランケット、断熱マット、又は断熱シートの形態であってもよい。様々な実施形態によると、断熱層１５０は、断熱を提供するように構成されてもよい。様々な実施形態によると、断熱層１５０は、２つの断熱布の層の間に挟まれた断熱ウールの層を備えていてもよい。様々な実施形態によると、断熱ウールとして、セラミック繊維ウール又はロックウールなどが挙げられる。様々な実施形態によると、断熱布として、シリカ布又はガラス繊維布などが挙げられる。
【００２２】
様々な実施形態によると、断熱層１５０は、スラット１１０の側面を覆って、横たわって、広がって、又は伸びてもよく、それにより、第１受容部１３０及び第２受容部１４０にアクセスしてもよい。従って、断熱層１５０が並んだスラット１１０の側面は、シャッターが設置され得る建物の外部に露出されるスラット１１０の外部側面又は表面と反対であってもよい。
【００２３】
図１Ａ及び図１Ｂに示されるように、スラット組立体１００は、断熱層１５０の第１部分をスラット１１０の第１受容部１３０に付勢し（urge）又は押し込み（press）又は押し（push）、断熱層１５０の第２部分をスラット１１０の第２受容部１４０に付勢（urge）又は押し込む（press）又は押す（push）ように断熱層１５０上に配置された保持機構１６０（又は少なくとも１つの保持機構）をさらに備えて、保持機構１６０がスラット１１０の第１受容部１３０及び第２受容部１４０と協働して、断熱層１５０を穴あけ又は貫通することなく、保持機構１６０とスラット１１０との間に断熱層１５０を保持又は挟持又は把持又は固持し得るようにしてもよい。従って、断熱層１５０は、保持機構１６０とスラット１１０との間に挟まれていてもよい。様々な実施形態によると、断熱層１５０の第１表面はスラットと接触していてもよく、一方、保持機構１６０は、断熱層１５０の第２表面上に載置又は受容又は配置されてもよい。断熱層１５０の第１表面と第２表面は、反対の表面であってもよい。
【００２４】
図１Ａ及び図１Ｂは、１つの保持機構１６０が、スラット１１０の第１受容部１３０に対して断熱層１５０の第１部分を、スラット１１０の第２受容部１４０に対して断熱層１５０の第２部分を同時に付勢するように配置され得ることを示しているが、様々な変更、修正、変形が可能であることを当業者は理解すべきである。
【００２５】
様々な実施形態によると、スラット組立体１００は、１つ又は２つ又はそれ以上又は複数の保持機構１６０を備えていてもよい。図１Ａ及び図１Ｂを再び参照すると、様々な実施形態によると、保持機構１６０は、第１端１６４及び第２端１６６を備えていてもよい。様々な実施形態によると、第１端１６４及び第２端１６６は、保持機構１６０の反対側の端であってもよい。第１端１６４は、断熱層１５０の第１部分をスラット１１０の第１受容部１３０に付勢する、押し込む、又は押すように構成されてもよい。従って、断熱層１５０の第１部分は、保持機構１６０の第１端１６４とスラット１１０の第１受容部１３０との間に挟まれてもよい。さらに、第２端１６６は、断熱層１５０の第２部分をスラット１１０の第２受容部１４０に付勢する、押し込む、又は押すように構成されてもよい。従って、断熱層１５０の第２部分は、保持機構１６０の第２端１６６とスラット１１０の第２受容部１４０との間に挟まれてもよい。様々な実施形態によると、スラット１１０の第１受容部１３０及びスラット１１０の第２受容部１４０は、スラット１１０の対向する長手縁部１１４、１１６にあってもよい。
【００２６】
様々な実施形態によると、保持機構１６０は、断熱層１５０の第１部分及び第２部分をそれぞれスラット１１０の第１受容部１３０及び第２部分１４０に付勢する、押し込む、又は押すための膨張力を供給するように予圧されてもよい。従って、保持機構１６０は、断熱層１５０上に配置される前に事前圧縮されて、保持機構１６０が断熱層１５０上に配置された際に保持機構１６０が、広がり力又は膨張力を断熱層１５０に加え得るようにして、保持機構１６０が、断熱層１５０のそれぞれの部分を、スラット１１０のそれぞれの第１受容部１３０及び第２受容部１４０（互いに対向し得る）に付勢する又は押し込む又は押すことができるようにしてもよい。それ故、保持機構１６０は、保持機構１６０の第１端１６４及び第２端１６６が互いに離れるように付勢され得るように予圧されて、断熱層１５０のそれぞれの部分をスラット１１０のそれぞれの第１受容部１３０及び第２受容部１４０に付勢する又は押し込む又は押すために断熱層１５０のそれぞれの部分と係合又は接触又は相互作用するようにしてもよい。
【００２７】
様々な実施形態によると、保持機構１６０は、断熱層１５０の第１部分をスラット１１０の第１受容部１３０に押し込み、断熱層１５０の第２部分をスラット１１０の第２受容層１４０に押し込むように構成されてもよい。従って、保持機構１６０の第１端１６４によって及ぼされる力は、断熱層１５０の第１部分をスラット１１０の第１受容部１３０に受容、収納、収容、保持、又は維持させ得る。同様に、保持機構１５０の第２端１６６によって及ぼされる力は、断熱層１５０の第２部分をスラット１１０の第２受容部１４０に受容、収納、収容、保持、又は維持させ得る。それ故、保持機構１６０の第１端１６４及び第２端１６６は、スラット１１０の第１受容部１３０及び第２受容部１４０と協働して、断熱層１５０を穴あけ又は貫通することなく、それらの間に断熱層１５０を保持又は挟持又は把持又は固持してもよい。
【００２８】
図１Ａ及び図１Ｂを再び参照すると、保持機構１６０は、弾性材料のストリップの形態の挿入体１６２を備えていてもよい。弾性材料として、高張力鋼又は任意の他の適切な材料が挙げられる。様々な実施形態によると、弾性材料のストリップの形態の挿入体１６２は、スラット１１０の第１受容部１３０と第２受容部１４０との間の横距離又は垂直距離などの距離よりも長い長さを有してもよい。従って、挿入体１６２は、挿入体１６２の２つの端１６４、１６６間の直接距離がスラット１１０の第１受容部１３０と第２受容部１４０との間の距離よりも小さくなるまで、断熱層１５０上に挿入体１６２を配置する前に弾性的に曲げられる必要があり得る。続いて、挿入体１６２が断熱層１５０上に配置された際に、挿入体１６２を曲げるために加えられた力は、取り除かれて、挿入体１６２が曲げを反転させ、曲げられていない状態に戻ろうとし得るようにしてもよい。従って、挿入体１６２が曲がらない傾向により、挿入体１６２のそれぞれの端１６４、１６６が、断熱層１５０の対応する部分を、スラット１１０のそれぞれの第１受容部１３０及び第２受容部１４０に付勢する又は押し込む又は押すようにしてもよい。
【００２９】
図１Ａ及び図１Ｂに示されるように、スラット組立体１００は、第１押出部材１７０をさらに備えていてもよい。第１押出部材１７０は、断熱層１５０の第１部分と保持機構１６０（例えば、挿入体１６２の第１端１６４）との間に配置されてもよい。第１押出部材１７０は、第１受容部１３０（例えば、示されているような一対の溝１３４、１４４のうちの第１溝１３４）と整列されてもよい。従って、保持機構１６０は、第１押出部材１７０の一部で第１押出部材１７０を付勢して又は押し込んで又は押してもよく、その第１押出部材１７０の一部は、次いで、断熱層１５０の第１部分をスラット１１０の第１受容部１３０の全長に対して又は全長内に均等に付勢する又は押し込む又は押す第１押出部材１７０へと変換され得る。様々な実施形態によると、第１押出部材１７０は、Ｖ字形断面又はＵ字形断面又は馬蹄形の断面又はスラット１１０の第１受容部１３０に収納され得る任意の適切な断面を有するバーを備えていてもよい。
【００３０】
図１Ａ及び図１Ｂに示されるように、スラット組立体１００は、第２押出部材１７２をさらに備えていてもよい。同様に、第２押出部材１７２は、断熱層１５０の第２部分と保持機構１６０（例えば、挿入体１６２の第２端１６６）との間に配置されてもよい。第２押出部材１７２は、第２受容部１４０（例えば、示されているような一対の溝１３４、１４４のうちの第２溝１４４）と整列されてもよい。従って、保持機構１６０は、第２押出部材１７２の一部で第２押出部材１７２を付勢して又は押し込んで又は押してもよく、その第２押出部材１７２の一部は、次いで、断熱層１５０の第２部分をスラット１１０の第２受容部１４０の全長に対して又は全長内に均等に付勢する又は押し込む又は押す第２押出部材１７２へと変換され得る。様々な実施形態によると、第２押出部材１７２は、Ｖ字形断面又はＵ字形断面又は馬蹄形の断面又はスラット１１０の第２受容部１４０に収納され得る任意の適切な断面を有するバーを備えていてもよい。
【００３１】
図２Ａは、様々な実施形態によるローラーシャッター用のスラット組立体２００の分解図を示す。図２Ｂは、様々な実施形態による図２Ａのスラット組立体２００の組立図を示す。図２Ａ及び図２Ｂのスラット組立体２００は、スラット組立体２００がスラット１１０のそれぞれの端部１２４、１２６に取り付けられた２つのサイドカバー２８０、２８２（又はエンドクリップ）を備えるという点で、図１Ａ及び図１Ｂのスラット組立体１００とは異なる。従って、スラット１１０の一端に１つのサイドカバーを取り付けてもよい。サイドカバー２８０、２８２は、スラット１１０のそれぞれの端１２４、１２６に沿って、断熱層１５０のそれぞれの縁部を覆う又は収納する又は囲む又は隠す又は包むように構成されてもよい。従って、サイドカバー２８０、２８２は、断熱層１５０がスラット１１０のいずれかの端１２４、１２６を介してスラット１１０から滑り出るのを防止してもよい。さらに、サイドカバー２８０、２８２は、断熱層１５０の縁部を囲んで又は隠して又は覆って、シャッター動作中にシャッター幕を巻いたり広げたりする際に、断熱層１５０のそれぞれの縁部がガイドレール又はシャッターガイドチャネルを擦ったり削ったりすることから保護する、（略Ｕ字形の断面を有する）三面剛性プレス鋼コンポーネントであってもよい。断熱層１５０のそのような擦り又は削りは、断熱層１５０を形成する布のそれぞれの縁部をほつれさせる可能性があり、これは、次いで布のほつれを引き起こして、緩い繊維糸などをもたらし得る。これらの緩い繊維糸は、ローラーシャッター組立体（例えば、突起部又は突出部又は出っ張っているもの）に引っ掛かる又は絡み合って、断熱層１５０をさらに引き裂き得る。従って、サイドカバー２８０、２８２は、断熱層１５０のそれぞれの縁部を囲むことにより、摩耗及び裂けによる断熱層１５０の損傷及びほつれを最小限にし又は防止し、断熱ブランケットのそれぞれの縁部がガイドレール又はシャッターガイドチャンネルに接触するのを防止し得る。様々な実施形態によると、三面剛性プレス鋼コンポーネントの形態のサイドカバー２８０、２８２は、平らな長方形の基部２８３と、平らな長方形の基部２８３の２つの長手縁部から垂直に延びる一対の壁部２８５、２８７とを備えていてもよい。従って、断熱層１５０のそれぞれの縁部は、一対の壁部２８５、２８７の間にスロットインされ又は嵌め込まれ又は挿入されて、基部２８３と整列されてもよい。
【００３２】
図３Ａは、様々な実施形態によるシャッター幕組立体３００の斜視図を示す。図３Ｂは、様々な実施形態による図３Ａのシャッター幕組立体３００の側面図を示す。図３Ｃは、様々な実施形態による図３Ａのシャッター幕組立体３００の一部の拡大側面図を示す。様々な実施形態によると、シャッター幕組立体３００は、ローラーシャッターのコンポーネントであってもよい。示されるように、シャッター幕組立体３００は、連続して次々に枢動可能に連結してシャッター幕を形成する複数のスラット３１０を備えていてもよい。様々な実施形態によると、１つのスラットは、その長さに沿って別のスラットに接合されてもよい。従って、複数のスラットが連続して次々に順番に接合されて、シャッター幕を形成してもよい。
【００３３】
示されるように、シャッター幕組立体３００は、複数のスラット３１０のうちの少なくとも２つの隣接する枢動可能に連結したスラットにわたって並べられた断熱層３５０をさらに備えていてもよい。様々な実施形態によると、断熱層３５０は、所望の数のスラット３１０にわたって並ぶようなサイズにしてもよい。様々な実施形態によると、断熱層３５０はまた、複数のスラット３１０から構成されるシャッター幕全体にわたって並ぶようなサイズにしてもよい。様々な実施形態によると、断熱層３５０は、複数の片を縫い合わせるか又は接合することによって形成されてもよい。様々な実施形態によると、断熱層３５０は、単一片として織り込まれてもよい。
【００３４】
様々な実施形態によると、シャッター幕組立体３００は、断熱層３５０の一部を少なくとも２つの隣接する枢動可能に連結したスラット３１０のうちの１つの第１受容部３３０に付勢し又は押し込み又は押し、断熱層３５０のさらなる一部を少なくとも２つの隣接する枢動可能に連結したスラット３１０のうちの上記１つの第２受容部に付勢し又は押し込み又は押すように断熱層３５０上に配置された少なくとも１つの保持機構３６０をさらに備えて、少なくとも１つの保持機構３６０が少なくとも２つの隣接する枢動可能に連結したスラット３１０のうちの上記１つの第１受容部３３０及び第２受容部３４０と協働して、断熱層３５０を穴あけ又は貫通することなく、保持機構３６０と少なくとも２つの隣接する枢動可能に連結したスラット３５０との間に断熱層３５０を保持し又は挟持し又は把持し又は固持し得るようにしてもよい。保持機構３６０は、図１Ａ及び図１Ｂの保持機構１６０と同様に、断熱層３５０の第１部分をスラット３１０の第１受容部３３０に付勢する又は押し込む又は押すように構成された第１端を備えていてもよい。保持機構３６０はまた、図１Ａ及び図１Ｂの保持機構１６０と同様に、断熱層３５０の第２部分をスラット３１０の第２受容部３４０に付勢する又は押し込む又は押すように構成された第２端を備えていてもよい。
【００３５】
図３Ａ及び図３Ｂに示されるように、シャッター幕組立体３００は、１つ又は２つ又はそれ以上又は複数の保持機構３６０を備えていてもよい。さらに、複数のスラット３１０の各スラット３１０はまた、それぞれの第１受容部３３０及び第２受容部３４０を備えていてもよい。従って、断熱層３５０は、複数のスラット３１０にわたって並べられてもよく、断熱層３５０の対応する部分は、それぞれの保持機構３６０とそれぞれのスラット３１０との間で保持又は挟持又は把持又は固持されてもよい。
【００３６】
図１Ａ及び図１Ｂのスラット組立体１００と同様に、スラット３１０の第１受容部３３０及び第２受容部３４０は、スラット３１０の一対の屈曲部であり得る一対の平行な対向溝であってもよい。さらに、少なくとも１つの保持機構３６０は、予圧されて、保持機構３６０の第１端及び第２端を互いから離れるように付勢する膨張力を供給し、断熱層のそれぞれの部分をそれぞれのスラット３１０のそれぞれの第１の受容部３３０及び第２の受容部３４０に付勢し又は押し込み又は押すようにしてもよい。少なくとも１つの保持機構３６０はまた、断熱層３５０のそれぞれの部分を、それぞれのスラット３１０のそれぞれの第１受容部３３０及び第２受容部３４０に押し込むように構成されてもよい。さらに、保持機構３６０は、それぞれのスラットのそれぞれの第１受容部３３０と第２受容部３４０との間の距離よりも長い長さを有する弾性材料のストリップの形態の挿入体３６２であってもよい。さらに、断熱層３５０は、２つの断熱布の層の間に挟まれた断熱ウールの層を備えていてもよい。様々な実施形態によると、断熱ウールとして、セラミック繊維ウール又はロックウールなどが挙げられる。様々な実施形態によると、断熱布として、シリカ布又はガラス繊維布などが挙げられる。
【００３７】
様々な実施形態によると、シャッター幕組立体３００は、少なくとも１つの押出部材３７０をさらに備えていてもよい。少なくとも１つの押出部材３７０は、断熱層３５０と少なくとも１つの保持機構３６０との間に配置されてもよい。少なくとも１つの押出部材３７０は、少なくとも１つのスラット３１０の第１受容部３３０又は第２受容部３４０（例えば、一対の平行な対向溝の１つの溝）のうちの１つと整列されてもよい。少なくとも１つの押出部材３７０は、Ｖ字形断面又はＵ字形断面又は馬蹄形断面又はスラット３１０のそれぞれの受容部３３０、３４０に収容するための任意の適切な断面を有するバーを備えていてもよい。
【００３８】
図３Ａ及び図３Ｂに示されるように、シャッター幕組立体３００は、１つ又は２つ又はそれ以上又は複数の押出部材３７０を備えていてもよい。様々な実施形態によると、各スラット３１０の２つの受容部３３０、３４０に整列した２つの押出部材３７０があってもよい。従って、それぞれの保持機構３６０は、それぞれの２つの押出部材３７０を付勢して又は押し込んで又は押して、断熱層３５０の対応する部分が各スラット３１０のそれぞれの受容部３３０、３４０に付勢される又は押し込まれる又は押されるようにし、それぞれの押出部材３７０とスラット３１０のそれぞれの受容部３３０、３４０との間で保持又は挟持又は把持又は固持されるようにしてもよい。
【００３９】
図４は、様々な実施形態によるシャッター幕組立体４００の斜視図を示す。図４のシャッター幕組立体４００は、シャッター幕組立体４００が少なくとも１つのスラット３１０のそれぞれの端部に取り付けられた少なくとも２つのサイドカバー４８０を備えていてもよい点で、図３Ａ及び図３Ｂのシャッター幕組立体３００とは異なる。図４に示されるように、シャッター幕組立体４００は、１つのサイドカバー４８０が各スラット３１０の一端に取り付けられるようにした複数のサイドカバーを備えていてもよい。
【００４０】
図５Ａは、様々な実施形態による垂直ローラーシャッター５００の上部５０２の側面断面図を示す。図５Ｂは、様々な実施形態による、下降した状態にあるときの垂直ローラーシャッター５００の下部５０４の側面断面図を示す。示されるように、垂直ローラーシャッター５００は、一対のシャッター幕組立体５０６、５０８を備えていてもよい。垂直ローラーシャッター５００は、一対のシャッター幕組立体５０６、５０８が垂直方向に上げ下げされ得るように構成されてもよい。従って、下降した状態にあるとき、一対のシャッター幕組立体５０６、５０８は、互いに離間かつ平行となって、一対のシャッター幕組立体５０６、５０８が互いに向き合うようにしてもよい。様々な実施形態によると、一対のシャッター幕組立体５０６、５０８のそれぞれは、図３Ａ及び図３Ｂのシャッター幕組立体３００、及び／又は図４のシャッター幕組立体４００であってもよい。様々な実施形態によると、それぞれのシャッター幕組立体５０６、５０８のそれぞれの断熱層は、それぞれのシャッター幕組立体５０６、５０８のそれぞれの表面に並べられて、それらが向かい合うようにしてもよい。様々な実施形態によると、一対のシャッター幕組立体の第１シャッター幕組立体５０６は、第１シャッター幕組立体５０６の複数のスラットが第１ドラム５０７の長手軸に少なくとも略平行に配置された状態で、第１ドラム５０７に結合されて、第１シャッター幕組立体５０６が第１ドラム５０７に巻き付けられたり第１ドラム５０７から解かれたりするようにしてもよい。同様に、一対のシャッター幕組立体の第２シャッター幕組立体５０８は、第２シャッター幕組立体５０８の複数のスラットが第２ドラム５０９の長手軸に少なくとも略平行に配置された状態で、第２ドラム５０９に結合されて、第２シャッター幕組立体５０８が第２ドラム５０９に巻き付けられたり第２ドラム５０９から解かれたりするようにしてもよい。
【００４１】
ローラーシャッター５００は、壁又は梁又は張出構造に取り付けられるように構成されたハウジング５０３をさらに備えていてもよい。ハウジング５０３は、一対のドラム５０７、５０９及びモーター組立体５０５を囲むように構成されてもよい。モーター組立体５０５及び一対のドラム５０７、５０９は、モーター組立体５０５が一対のドラム５０７、５０９の回転を同期的に駆動できるように配置されてもよい。例えば、示されるように、一対のドラム５０７、５０９及びモーター組立体５０５は、それらの回転軸が水平面上にある状態で横方向配置（又は水平）に配置されてもよい。この配置では、ベルト又はチェーン機構が、一対のドラム５０７、５０９をモーター組立体５０５に結合して、モーター組立体５０５が、ドラム５０７、５０９の両方の回転を協調的に同時に駆動して、シャッター幕組立体５０６、５０８の両方を同期的に同時に巻き取ったり巻き出したりするようにしてもよい。従って、モーター組立体５０５は、シャッター幕組立体５０６、５０８の両方を巻き取るために同じ第１方向（例えば、図５Ａに示す図において時計回りの方向）に回転するようにドラム５０７、５０９の両方を駆動し、シャッター幕組立体５０６、５０８の両方を巻き出すために同じ第２方向（例えば、図５Ａに示す図において反時計回りの方向）に回転するようにドラム５０７、５０９の両方を駆動してもよい。
【００４２】
さらに、様々な実施形態によると、ガイドレール５９９（又はシャッターガイドチャネル）を、ローラーシャッター５００が取り付けられ得る壁の側面に沿って設けて、一対のシャッター幕組立体５０６、５０８の側縁がガイドレール５９９（又はシャッターガイドチャネル）に挿入又はスロットイン又は載置され、ガイドされるように上昇又は下降するようにしてもよい。
【００４３】
図５Ｂには、一対のシャッター幕組立体５０６、５０８の下部５０４が示されている。第１シャッター幕組立体５０６は、第１シャッター幕組立体５０６の最後のスラットに接続された足コンポーネント５９０を有してもよい。第２シャッター幕組立体５０８はまた、第２シャッター幕組立体５０８の最後のスラットに接続された足コンポーネント５９２を有してもよい。それぞれのシャッター幕組立体５０６、５０８のそれぞれの足コンポーネント５９０、５９２は、略「逆Ｔ」字状の断面を有してもよい。従って、各足コンポーネント５９０、５９２は、側方基部５９１、５９３と、それぞれの側方基部５９１、５９３の中央又は中心線又は長手軸から垂直に延びる接続部５９４、５９５と、を有してもよい。示されるように、それぞれの足コンポーネント５９０、５９２のそれぞれの接続部５９４、５９５の長手縁部は、それぞれの側方基部５９１、５９３に向かって内向きにカールして、それぞれのカール縁部５９４’、５９５’を形成し、それぞれのシャッター幕組立体５０６、５０８の最後のスラットの外向きカール縁部と係合するようにしてもよい。
【００４４】
図５Ｂに示すように、例示的な実装によると、足コンポーネント５９０、５９２は、２つの細長Ｌ字状バーを備えていてもよく、それぞれの細長Ｌ字状バーの垂直部分は背中合わせに配置される。さらに、足コンポーネント５９０、５９２は、長手縁部の一方に沿う内向きカール部と、他の長手縁部に沿う平坦部とを有する半スラット要素を備えていてもよい。従って、半スラット要素の平坦部は、それぞれの細長Ｌ字状バーの垂直部の間に挟まれ、互いに接合されて、それぞれの足コンポーネント５９０、５９２を形成してもよい。その接合は、ボルトとナット又はその他の適切な留め具を介して行ってもよい。
【００４５】
様々な実施形態によると、それぞれのシャッター幕５０６、５０８の断熱層はまた、それぞれの足コンポーネント５９０、５９２の接続部５９４、５９５にわたって延び、それらを覆ってもよい。従って、それぞれの足コンポーネント５９０、５９２のそれぞれの接続部５９４、５９５には、それぞれの断熱層が並べられてもよい。様々な実施形態によると、一対のシャッター幕組立体５０６、５０８の足コンポーネント５９０、５９２は、断熱シール配置を有して、第１シャッター幕組立体５０６の足コンポーネント５９０と第２シャッター幕組立体５０８の足コンポーネント５９２との間のギャップをシールしてもよい。
【００４６】
例えば、図５Ｂに示されるように、各足コンポーネント５９０、５９２は、それぞれの側方基部５９１、５９３上に置かれた断熱ブロック５９６、５９８をさらに備えていてもよい。様々な実施形態によると、断熱ブロック５９６、５９８は、他のシャッター幕組立体５０６、５０８に向かって延びているそれぞれの側方基部５９２、５９３の一部の上に置かれてもよい。示されるように、第１シャッター幕組立体５０６の足コンポーネント５９０の断熱ブロック５９６は、第２シャッター幕組立体５０８に向かって延びている側方基部５９１の一部の上に置かれてもよい。同様に、第２シャッター幕組立体５０８の足コンポーネント５９２の断熱ブロック５９８は、第１シャッター幕組立体５０６に向かって延びている側方基部５９３の一部の上に置かれてもよい。
【００４７】
様々な実施形態によると、重なり断熱ブロック５９７が、第１シャッター幕組立体５０６の足コンポーネント５９０の断熱ブロック５９６又は第２シャッター幕組立体５０８の足コンポーネント５９２の断熱ブロック５９８のいずれかに取り付けられてもよい。この構成では、重なり断熱ブロック５９７は、第１シャッター幕組立体５０６の足コンポーネント５９０と第２シャッター幕組立体５０８の足コンポーネント５９２との間のギャップを密封してもよい。従って、第１シャッター幕組立体５０６と第２シャッター幕組立体５０８との間の囲まれた隙間又は空間は、断熱されて、ローラーシャッター５００の防火を強化し得る断熱エアギャップを形成してもよい。
【００４８】
図６は、様々な実施形態による垂直ローラーシャッター６００の上部６０２の側面断面図を示す。図６の垂直ローラーシャッター６００は、ローラーシャッター６００の第１シャッター幕組立体６０６の第１ドラム６０７が第１モーター６０５によって駆動され得ることと、第２シャッター幕組立体６０８の第２ドラム６０９が第２モーター６０５’によって駆動され得ることという点で、図５Ａの垂直ローラーシャッター５００とは異なる。従って、この構成では、第１ドラム６０７及び第２ドラム６０９は、第１ドラム６０７がハウジング６０３内の第２ドラム６０９の上方にあるように配置されてもよい。従って、第１シャッター幕組立体６０６と第２シャッター幕組立体６０８との間の空間は、下降した状態にあるとき、図５Ａの垂直ローラーシャッター５００と比較して小さくなってもよい。示されるように、第１モーター６０５は、第１シャッター幕組立体６０６を巻き取るために、ローラーシャッター６００の第１シャッター幕組立体６０６の第１ドラム６０７を第１方向（例えば、図６に示される図から時計回りの方向）に駆動してもよく、第２モーター６０５’は、第２シャッター幕組立体６０８を巻き取るために、ローラーシャッター６００の第２シャッター幕組立体６０８の第２ドラム６０９を同じ第１方向（例えば、図６に示される図から時計回りの方向）に駆動してもよい。また、第１モーター６０５は、第１シャッター幕組立体６０６を巻き出すために、ローラーシャッター６００の第１シャッター幕組立体６０６の第１ドラム６０７を第２方向（例えば、図６に示される図から反時計回りの方向）に駆動してもよく、第２モーター６０５’は、第２シャッター幕組立体６０８を巻き出すために、ローラーシャッター６００の第２シャッター幕組立体６０８の第２ドラム６０９を同じ第２方向（例えば、図６に示される図から反時計回りの方向）に駆動してもよい。さらに、第１モーター６０５及び第２モーター６０５’は、ドラム６０７、６０９の両方の回転を協調的に同時に駆動して、シャッター幕組立体６０６、６０８の両方を同期的に同時に巻き取ったり巻き出したりしてもよい。
【００４９】
図７は、様々な実施形態による側方ローラーシャッター７００の上面断面図を示す。図７の側方ローラーシャッター７００は、側方ローラーシャッター７００の一対のシャッター幕組立体７０６、７０８が上下ではなく横向きに巻き取られたり巻き出したりするように配置されるという点で、図５Ａの垂直ローラーシャッター５００及び図６のローラーシャッター６００とは異なる。従って、それぞれのドラム７０７、７０９及びモーターは、それぞれの回転軸が垂直方向に配置されてもよい。さらに、一対のシャッター幕組立体７０６、７０８の側方端はまた、一対のシャッター幕組立体７０６、７０８の側方端が断熱ブロック７９６によって一緒に接合され得るという点で、図５Ａの垂直ローラーシャッター５００の足コンポーネント５９０、５９２とは異なる。さらに、側方ローラーシャッター７００が閉じる壁には、断熱ブロックを受容するための窪みを有するストライカ７９６’が設けられてもよい。
【００５０】
図８は、様々な実施形態による側方ローラーシャッター８００の上面断面図を示す。図８の側方ローラーシャッター８００は、２対のシャッター幕組立体８０６、８０８、８０６’、８０８’が設けられるという点で、図７の側方ローラーシャッター７００とは異なる。第１の対のシャッター幕組立体８０６、８０８は、左から右に横に閉じるように配置されてもよく、第２の対のシャッター幕組立体８０６’、８０８’は、右から左に横に閉じるように配置されてもよい。第１の対のシャッター幕組立体８０６、８０８は、図７の一対のシャッター幕組立体７０６、７０８と同様に、一対のシャッター幕組立体８０６、８０８の側方端を結合する断熱ブロック８９６を備えていてもよい。一方、第２の対のシャッター幕組立体８０６’、８０８’は、第１の対のシャッター幕組立体８０６、８０８の結合された側方端を受容するように構成されたラッチ８９６’を備えていてもよい。ラッチ８９６’は、ラッチ８９６’のジョーの間に１つ以上の断熱ブロック８９７、８９８を備えていてもよい。
【００５１】
図９は、様々な実施形態による垂直ローラーシャッター９００の上部９０２の概略側面図を示す。示されるように、垂直ローラーシャッター９００は、一対のシャッター幕組立体９０６、９０８を備えていてもよい。垂直ローラーシャッター９００は、一対のシャッター幕組立体９０６、９０８が垂直方向に上げ下げされ得るように構成されてもよい。従って、下降した状態にあるとき、一対のシャッター幕組立体９０６、９０８は、互いに離間かつ平行となって、一対のシャッター幕組立体９０６、９０８が互いに向き合うようにしてもよい。様々な実施形態によると、一対のシャッター幕組立体９０６、９０８のそれぞれは、図３Ａ及び図３Ｂのシャッター幕組立体３００、及び／又は図４のシャッター幕組立体４００であってもよい。様々な実施形態によると、それぞれのシャッター幕組立体９０６、９０８のそれぞれの断熱層は、それぞれのシャッター幕組立体９０６、９０８のそれぞれの表面に並べられて、それらが向かい合うようにしてもよい。様々な実施形態によると、図９の垂直ローラーシャッター９００は、図９の垂直ローラーシャッター９００が隣り合わせで配置された２つの逆回転ドラム９０７、９０９を備えるという点で、図５Ａの垂直ローラーシャッター５００とは異なる。従って、第１シャッター幕組立体９０６は、第１逆回転ドラム９０７に取り付けられて第１方向に巻き付けられ（例えば、時計回り方向に巻き付けられ）てもよく、第２シャッター幕組立体９０８は、第２逆回転ドラム９０９に取り付けられて第２方向に巻き付けられてもよい（例えば、反時計回りの方向に巻き付けられる）。第１方向と第２方向は反対方向である。従って、この構成では、第１及び第２逆回転ドラム９０７、９０９は、シャッター幕組立体９０６、９０８の両方を巻き取るために、第１の反対方向の組に回転するように構成されてもよい（例えば、第１ドラム９０７は時計回り方向に、第２ドラム９０９は反時計回り方向に）。さらに、第１及び第２逆回転ドラム９０７、９０９の両方は、シャッター幕組立体９０６、９０８の両方を巻き出すために、第２の反対方向の組に回転するように構成されてもよい（例えば、第１ドラム９０７を反時計回りの方向に、第２ドラム９０９を時計回りの方向）。様々な実施形態によると、垂直ローラーシャッター９００は、第１ドラム９０７の下方に配置されたローラー９０１を備えていてもよい。従って、第２ドラム９０９上の第２シャッター幕組立体９０８は、第２ドラム９０９からローラー９０１の周りを流れて、第１シャッター幕組立体９０６と第２シャッター幕組立体９０８との間の空間が、下降した状態にあるとき、図５Ａの垂直ローラーシャッター５００と比較して小さくなるようにしてもよい。
【００５２】
図１０Ａ及び図１０Ｂは、様々な実施形態による、下下降した状態の垂直ローラーシャッター９００の正面図及び断面側面図を示す。図１０Ｃは、様々な実施形態による垂直ローラーシャッター９００の上面図からのモーター組立体９０５ａ、９０５ｂの位置を示す。図１０Ｄは、様々な実施形態による垂直ローラーシャッター９００の実際の実装の写真を示す。示されるように、垂直ローラーシャッター９００は、垂直ローラーシャッター９００のハウジング９０３（又はドア頂部）内に配置された２つのモーター組立体９０５ａ、９０５ｂを備えていてもよい。第１モーター組立体９０５ａは、垂直ローラーシャッター９００のハウジング９０３の一端にあってもよく、第２モーター組立体９０５ｂは、垂直ローラーシャッター９００のハウジング９０３の反対側の端にあってもよい。様々な実施形態によると、第１モーター組立体９０５ａは、第１ドラム９０７を駆動するように構成されてもよく、第２モーター組立体９０５ｂは、第２ドラム９０９を駆動するように構成されてもよい。様々な実施形態によると、ベルト又はチェーン機構が、ドラム９０７、９０９のそれぞれをそれぞれのモーター組立体９０５ａ、９０５ｂに結合してもよい。様々な実施形態によると、第１及び第２モーター組立体９０５ａ、９０５ｂは、ドラム９０７、９０９の両方の回転を協調的に同時に駆動して、シャッター幕組立体９０６、９０８の両方を同期的に同時に巻き取ったり巻き出したりしてもよい。
【００５３】
図１１Ａは、様々な実施形態による垂直ローラーシャッター１１００の上部１１０２の概略側面図を示す。図１１Ｂは、様々な実施形態による垂直ローラーシャッター１１００の実際の実装の写真を示す。示されるように、垂直ローラーシャッター１１００は、一対のシャッター幕組立体１１０６、１１０８を備えていてもよい。垂直ローラーシャッター１１００は、一対のシャッター幕組立体１１０６、１１０８が垂直方向に上げ下げされ得るように構成されてもよい。従って、下降した状態にあるとき、一対のシャッター幕組立体１１０６、１１０８は、互いに離間かつ平行となって、一対のシャッター幕組立体１１０６、１１０８が互いに向き合うようにしてもよい。様々な実施形態によると、一対のシャッター幕組立体１１０６、１１０８のそれぞれは、図３Ａ及び図３Ｂのシャッター幕組立体３００、及び／又は図４のシャッター幕組立体４００であってもよい。様々な実施形態によると、それぞれのシャッター幕組立体１１０６、１１０８のそれぞれの断熱層は、それぞれのシャッター幕組立体１１０６、１１０８のそれぞれの表面に並べられて、それらが向かい合うようにしてもよい。様々な実施形態によると、垂直ローラーシャッター１１００は、１つの単一ドラム１１０７を備えていてもよい。従って、第１シャッター幕組立体１１０６及び第２シャッター幕組立体１１０８の両方が、ドラム１１０７に取り付けられ、ドラム１１０７の周りに巻き付けられてもよい。第１シャッター幕組立体１１０６及び第２シャッター幕組立体１１０８は、第１シャッター幕組立体１１０６及び第２シャッター幕組立体１１０８の両方がドラム１１０７の周りに巻かれるときにそれぞれの断熱層が向かい合うように配置されてもよい。様々な実施形態によると、第１シャッター幕組立体１１０６及び第２シャッター幕組立体１１０８は、シャッター幕組立体１１０６、１１０８の両方が同期的に同時に巻き取られ又は巻き出され得るようにドラム１１０７に取り付けられてもよい。様々な実施形態によると、第１シャッター幕組立体１１０６及び第２シャッター幕組立体１１０８は、互い違いに（例えば、ドラム１１０７の円周に沿った次々に異なる位置で）ドラム１１０７に取り付けられて、同期的な巻き取り又は巻き出しを容易にするようにしてもよい。
【００５４】
様々な実施形態によると、垂直ローラーシャッター１１００は、モーター組立体１１０５を備えていてもよい。様々な実施形態によると、ベルト又はチェーン機構が、ドラム１１０７をモーター組立体１１０５に結合して、モーター組立体１１０５がドラム１１０７の回転を駆動して、シャッター幕組立体１１０６、１１０８の両方を同期的に同時に巻き取ったり巻き出したりするようにしてもよい。従って、モーター組立体１１０５は、シャッター幕組立体１１０６、１１０８の両方を巻き取るために第１方向（例えば、時計回りの方向）に回転するようにドラム１１０７を駆動し、シャッター幕組立体１１０６、１１０８の両方を巻き出すために第２方向（例えば、反時計回りの方向）に回転するようにドラム１１０７を駆動してもよい。
【００５５】
図１２Ａは、様々な実施形態による側方ローラーシャッター１２００ａの上面断面図を示す。図１２Ａの側方ローラーシャッター１２００ａは、側方ローラーシャッター１２００が２つの幕組立体１２０６及び１２０８が横向きに巻き取られたり巻き出したりされるように取り付けられる単一ドラム１２０７のみを含むという点で、図７の側方ローラーシャッター７００とは異なる。側方ローラーシャッター１２００の他のコンポーネントは、図７の側方ローラーシャッター７００のコンポーネントと同じである。
【００５６】
図１２Ｂは、様々な実施形態による側方ローラーシャッター１２００ｂの上面断面図を示す。図１２Ｂの側方ローラーシャッター１２００ｂは、２対のシャッター幕組立体１２０６、１２０８、１２０６’、１２０８’が設けられるという点で、図１２Ａの側方ローラーシャッター１２００ａとは異なる。第１の対のシャッター幕組立体１２０６’、１２０８’は、第１ドラム１２０７’上に設けられる。第２の対のシャッター幕組立体１２０６、１２０８は、第２ドラム１２０７上に設けられる。第１の対のシャッター幕組立体１２０６’、１２０８’は、第１ドラム１２０７’を第１方向（例えば、図１２Ｂに示される図から時計回りの方向）に回転させることにより、左から右に横に閉じるように配置されてもよく、第２対のシャッター幕組立体１２０６、１２０８は、第２ドラム１２０７を第２方向（例えば、図１２Ｂに示される図から反時計回りの方向）に回転させることにより、右から左に横に閉じるように配置されてもよい。図１２Ｂの第２の対のシャッター幕組立体１２０６、１２０８は、図１２Ａの一対のシャッター幕組立体１２０６、１２０８と同様であってもよい。
【００５７】
図１３は、様々な実施形態による垂直ローラーシャッター１３００の上部１３０２の概略側面図を示す。図１３の垂直ローラーシャッター１３００は、垂直ローラーシャッター１３００が、３つのシャッター幕組立体１３０６ａ、１３０６ｂ、１３０８を備え、単一ドラム１３０７に取り付けられて巻き付けられることを除いて、図１１Ａの垂直ローラーシャッター１１００と同様である。図１４Ａは、様々な実施形態による側方ローラーシャッター１４００ａの上面断面図を示す。図１４Ａの側方ローラーシャッター１４００ａは、図１４Ａの側方ローラーシャッター１４００ａが、３つのシャッター幕組立体１４０６ａ、１４０６ｂ、１４０８を備え、単一ドラム１４０７に取り付けられて巻き付けられることを除いて、図１２Ａの側方ローラーシャッター１２００ａと同様である。図１４Ｂは、様々な実施形態による側方ローラーシャッター１４００ｂの上面断面図を示す。図１４Ｂの側方ローラーシャッター１４００ｂは、側方ローラーシャッター１４００ｂが２組の３つのシャッター幕組立体１４０６ａ、１４０６ｂ、１４０８、１４０６ａ’、１４０６ｂ’、１４０８’を備え、各組の３つのシャッター幕組立体が、１つの単一のドラム１４０７、１４０７’に取り付けられて巻き付けられることを除いて、図１２Ｂの側方ローラーシャッター１２００ｂと同様である。
【００５８】
図１５Ａ及び図１５Ｂは、様々な実施形態による、それぞれ吊り下げ態様及び積み重ね態様で互いに枢動可能に連結した２つのスラット１５１０ａ、１５１０ｂの側面図を示す。図１５Ｃ及び図１５Ｄは、様々な実施形態による、それぞれ吊り下げ態様及び積み重ね態様での２つのスラット１５１０ａ、１５１０ｂの斜視図を示す。様々な実施形態によると、各スラット１５１０ａ、１５１０ｂの連結要素は、２つのスラット１５１０ａ、１５１０ｂが互いに枢動可能に隣り合って連結されるときに、いくらかの横方向の余裕（又は横方向の動き若しくは側方の動きの自由度）が提供され得るように構成されてもよい。従って、横方向の余裕により、２つのスラット１５１０ａ、１５１０ｂが、吊り下げ態様で連結されたままでありつつ、互いに横方向に延びることを可能にしてもよい。横方向の余裕はまた、２つのスラット１５１０ａ、１５１０ｂが、積み重ね態様で一緒に積み重ねられるように連結されつつ、互いに横方向に閉じることを可能にしてもよい。様々な実施形態によると、横方向の余裕は、それぞれのスラットのそれぞれの長手軸に垂直な方向に許容される動きの自由度であってもよい。
【００５９】
示されるように、スラット１５１０ａ、１５１０ｂのそれぞれは、図１Ｃ及び図１Ｄのスラット１１０と同様に、第１長手縁部１５１４ａ、１５１４ｂと第２長手縁部１５１６ａ、１５１６ｂとの間に主要部１５１２ａ、１５１２ｂを備えていてもよい。従って、スラット１５１０ａの主要部１５１２ａは、隣接するスラット１５１０ｂの主要部１５１２ｂと並行して並んで又は横並びで置かれてシャッター幕を形成するようにしたスラット１５１０ａの主要本体であってもよい。様々な実施形態によると、シャッター幕組立体は、次々に枢動可能に連結した複数のスラット１５１０ａ、１５１０ｂを備えていてもよい。
【００６０】
示されるように、スラット１５１０ａ、１５１０ｂのそれぞれは、スラット１５１０ａ、１５１０ｂのそれぞれの第１長手縁部１５１４ａ、１５１４ｂにおける内向き屈曲１５３２ａ、１５３２ｂ（又は内向き折り目）であり得る第１受容部１５３０ａ、１５３０ｂを備えていてもよい。様々な実施形態によると、各スラット１５１０ａ、１５１０ｂは、金属の細長いシートなどの細長材料シートから形成又は成形又はプロファイル化又は製造又はモールド又はプレスされてもよい。従って、第１長手縁部１５１４ａ、１５１４ｂにおける内向き屈曲１５３２ａ、１５３２ｂは、材料シートの第１長手縁１５１３ａ、１５１３ｂをスラット１５１０ａ、１５１０ｂの長手軸１５１１ａ、１５１１ｂに向かって長さ方向内向きに曲げること又は折り畳むことから形成されてもよい。それ故、内向き屈曲１５３２ａ、１５３２ｂは、スラット１５１０ａ、１５１０ｂのそれぞれの主要部１５１２ａ、１５１２ｂに直接隣接してもよい。示されるように、スラット１５１０ａ、１５１０ｂのそれぞれの第１細長張出部１５３１ａ、１５３１ｂは、第１長手縁部１５１４ａ、１５１４ｂの内向き屈曲１５３２ａ、１５３２ｂから横方向に延びて、スラット１５１０ａ、１５１０ｂのそれぞれの第１細長張出部１５３１ａ、１５３１ｂがスラット１５１０ａ、１５１０ｂのそれぞれの主要部１５１２ａ、１５１２ｂに対して９０°未満の角度をなすようにしてもよい。従って、スラット１５１０ａ、１５１０ｂのそれぞれの第１細長張出部１５３１ａ、１５３１ｂ及びスラット１５１０ａ、１５１０ｂのそれぞれの主要部１５１２ａ、１５１２ｂは、Ｖ字形又はＵ字形又は馬蹄形の断面を有する溝を形成してもよく、スラット１５１０ａ、１５１０ｂのそれぞれの第１長手縁部１５１４ａ、１５１４ｂの内向き屈曲１５３２ａ、１５３２ｂは、鋭角であってもよい。
【００６１】
示されるように、スラット１５１０ａ、１５１０ｂのそれぞれは、スラット１５１０ａ、１５１０ｂのそれぞれの第２長手縁部１５１６ａ、１５１６ｂにおける内向き屈曲１５４２ａ、１５４２ｂ（又は内向き折り目）であり得る第２受容部１５４０ａ、１５４０ｂを備えていてもよい。様々な実施形態によると、第２長手縁部１５１６ａ、１５１６ｂにおける内向き屈曲１５４２ａ、１５４２ｂは、材料シートの第２長手縁部１５１５ａ、１５１５ｂをスラット１５１０ａ、１５１０ｂの長手軸１５１１ａ、１５１１ｂに向かって長さ方向内向きに曲げること又は折り畳むことから形成されてもよい。従って、内向き屈曲１５４２ａ、１５４２ｂは、スラット１５１０ａ、１５１０ｂのそれぞれの主要部１５１２ａ、１５１２ｂに直接隣接してもよい。示されるように、スラット１５１０ａ、１５１０ｂのそれぞれの第２細長張出部１５４１ａ、１５４１ｂは、第２長手縁部１５１６ａ、１５１６ｂの内向き屈曲１５４２ａ、１５４２ｂから横方向に延びてもよい。示されるように、第２細長張出部１５４１ａ、１５４１ｂの第１セグメント１５４１ａ’、１５４１ｂ’は、第２長手縁部１５１６ａ、１５１６ｂの内向き屈曲１５４２ａ、１５４２ｂから横方向に延びて、スラット１５１０ａ、１５１０ｂのそれぞれの第２細長張出部１５４１ａ、１５４１ｂの第１セグメント１５４１ａ’、１５４１ｂ’がスラット１５１０ａ、１５１０ｂのそれぞれの主要部１５１２ａ、１５１２ｂに対して９０°未満の角度をなすようにしてもよい。さらに、第２細長張出部１５４１ａ、１５４１ｂの第２セグメント１５４１ａ’’、１５４１ｂ’’は、第２細長張出部１５４１ａ、１５４１ｂの第１セグメント１５４１ａ’、１５４１ｂ’から横方向に延びて、第２細長張出部１５４１ａ、１５４１ｂの第２セグメント１５４１ａ’’、１５４１ｂ’’がスラット１５１０ａ、１５１０ｂのそれぞれの第２細長張出部１５４１ａ、１５４１ｂの第１セグメント１５４１ａ’、１５４１ｂ’に対して９０°から１８０°の角度をなす（又は鈍角をなす）ようにしてもよい。従って、スラット１５１０ａ、１５１０ｂの第２の細長張出部１５４１ａ、１５４１ｂの第１のセグメント１５４１ａ’、１５４１ｂ’及びスラット１５１０ａ、１５１０ｂの主要部１５１２ａ、１５１２ｂは、Ｖ字形又はＵ字形又は馬蹄形の断面を有する溝を形成してもよく、スラット１５１０ａ、１５１０ｂのそれぞれの第２長手縁部１５１６ａ、１５１６ｂの内向き屈曲１５４２ａ、１５４２ｂは、鋭角であってもよい。様々な実施形態によると、第２細長張出部１５４１ａ、１５４１ｂの第２セグメント１５４１ａ’’、１５４１ｂ’’は、スラット１５１０ａ、１５１０ｂのそれぞれの主要部１５１２ａ、１５１２ｂに平行であってもよい。
【００６２】
示されるように、第１長手縁部１５１４ａ、１５１４ｂ及び第２長手縁部１５１６ａ、１５１６ｂのそれぞれにおける一対の内向き屈曲１５３２ａ、１５４２ａ、１５３２ｂ、１５４２ｂは、それぞれのスラット１５１０ａ、１５１０ｂの全長を通って延びてもよく、少なくとも互いに略平行であってもよい。様々な他の実施形態によると、第１長手縁部での内向き屈曲及び第２長手縁部での内向き屈曲は、それぞれのスラットの長さの一部のみに沿って延びてもよい。様々な他の実施形態によると、一対の内向き屈曲は、互いに非平行であってもよい。
【００６３】
様々な実施形態によると、第１長手縁部１５１４ａ、１５１４ｂにおける内向き屈曲１５３２ａ、１５３２ｂ及び第２長手縁部１５１６ａ、１５１６ｂにおける内向き屈曲１５４２ａ、１５４２ｂは、互いに対向し得て且つＶ字形又はＵ字形又は馬蹄形の断面を有し得る一対の溝１５３４ａ、１５４４ａ、１５３４ｂ、１５４４ｂを形成してもよい。従って、一対の溝１５３４ａ、１５４４ａ、１５３４ｂ、１５４４ｂは、スラット１５１０ａ、１５１０ｂのそれぞれの一対の内向き屈曲部（又は折り畳み部）であってもよい。スラット１５１０ａ、１５１０ｂのそれぞれの一対の内向き屈曲部のそれぞれは、それぞれのスラット１５１０ａ、１５１０ｂの長手軸に向かって内向きに曲げることから形成されて鋭角を形成するようにしてもよい。
【００６４】
図１５Ａ及び図１５Ｂに示されるように、スラット１５１０ａ、１５１０ｂのそれぞれの第１長手縁部１５１４ａ、１５１４ｂにおける内向き屈曲１５３２ａ、１５３２ｂには、細長材料シートの第１長手縁１５１３ａ、１５１３ｂをスラット１５１０ａ、１５１０ｂのそれぞれの長手軸１５１１ａ、１５１１ｂから長さ方向に離れてその後に曲げること又は折り畳むことから形成される外向き屈曲１５１８ａ、１５１８ｂ（又は外向き折り目）が続いていてもよい。従って、第１細長張出部１５３１ａ、１５３１ｂから、材料シートは、スラット１５１０ａ、１５１０ｂのそれぞれの長手軸１５１１ａ、１５１１ｂから離れるように外向きに曲げられるか又は折り畳まれて、外向き屈曲１５１８ａ、１５１８ｂを形成してもよい。示されるように、スラット１５１０ａ、１５１０ｂのそれぞれの第１細長翼状部１５１９ａ、１５１９ｂは、外向き屈曲１５１８ａ、１５１８ｂから横方向に延びてもよい。スラット１５１０ａ、１５１０ｂのそれぞれの第１細長翼状部１５１９ａ、１５１９ｂの第１セグメント１５１９ａ’、１５１９ｂ’は、外向き屈曲１５１８ａ、１５１８ｂから横方向に延びて、スラット１５１０ａ、１５１０ｂのそれぞれの第１細長翼状部１５１９ａ、１５１９ｂの第１セグメント１５１９ａ’、１５１９ｂ’がスラット１５１０ａ、１５１０ｂのそれぞれの第１細長張出部１５３１ａ、１５３１ｂに対して９０°未満の角度をなすようにしてもよい。従って、スラット１５１０ａ、１５１０ｂのそれぞれの第１細長翼状部１５１９ａ、１５１９ｂの第１セグメント１５１９ａ’、１５１９ｂ’及びスラット１５１０ａ、１５１０ｂのそれぞれの第１細長張出部１５３１ａ、１５３１ｂは、Ｖ字形又はＵ字形の断面を形成してもよく、スラット１５１０ａ、１５１０ｂのそれぞれの第１長手縁部１５１４ａ、１５１４ｂの外向き屈曲１５１８ａ、１５１８ｂは、鋭角であってもよい。さらに、スラット１５１０ａ、１５１０ｂのそれぞれの第１細長翼状部１５１９ａ、１５１９ｂの第２セグメント１５１９ａ’’、１５１９ｂ’’は、第１細長翼状部１５１９ａ、１５１９ｂの第１セグメント１５１９ａ’、１５１９ｂ’から横方向に延びて、第１細長翼状部１５１９ａ、１５１９ｂの第２セグメント１５１９ａ’’、１５１９ｂ’’がスラット１５１０ａ、１５１０ｂのそれぞれの第１細長翼状部１５１９ａ、１５１９ｂの第１セグメント１５１９ａ’、１５１９ｂ’に対して９０°から１８０°の角度をなす（又は鈍角をなす）ようにしてもよい。
【００６５】
様々な実施形態によると、スラット１５１０ａ、１５１０ｂのそれぞれの第１長手縁部１５１４ａ、１５１４ｂの第１細長翼状部１５１９ａ、１５１９ｂには、細長材料シートの第１長手縁１５１３ａ、１５１３ｂをスラット１５１０ａ、１５１０ｂのそれぞれの長手軸１５１１ａ、１５１１ｂから長さ方向内向きにその後にカールすることから形成される内向きカール１５２０ａ、１５２０ｂが続いていてもよい。従って、スラット１５１０ａ、１５１０ｂの第１細長翼状部１５１９ａ、１５１９ｂから、材料シートは、スラット１５１０ａ、１５１０ｂのそれぞれの長手軸１５１１ａ、１５１１ｂに向かって内向きにカールされてもよい。それ故、内向きカール１５２０ａ、１５２０ｂは、それぞれのスラット１５１０ａ、１５１０ｂの第１カール縁部を形成してもよい。それぞれのスラット１５１０ａ、１５１０ｂの第１カール縁部は、それぞれのスラット１５１０ａ、１５１０ｂの第１連結要素であってもよい。従って、第１スラット１５１０ａの第１カール縁部は、第２スラット１５１０ｂの対応する連結要素と係合して、連結して、又は相互作用して、２つのスラット１５１０ａ、１５１０ｂを一緒に枢動可能に接合するように構成されてもよい。様々な実施形態によると、スラット１５１０ａ、１５１０ｂのそれぞれの第１長手縁部１５１４ａ、１５１４ｂは、内向き屈曲１５３２ａ、１５３２ｂ、第１細長張出部１５３１ａ、１５３１ｂ、外向き屈曲１５１８ａ、１５１８ｂ、第１細長翼状部１５１９ａ、１５１９ｂ、及び内向きカール１５２０ａ、１５２０ｂを備えていてもよい。
【００６６】
さらに、同じく示されるように、スラット１５１０ａ、１５１０ｂのそれぞれの第２長手縁部１５１６ａ、１５１６ｂにおける第２細長張出部１５４１ａ、１５４１ｂには、細長材料シートの第２長手縁１５１５ａ、１５１５ｂをスラット１５１０ａ、１５１０ｂのそれぞれの長手軸１５１１ａ、１５１１ｂから長さ方向外向きにその後にカールすることから形成される少なくとも略半円形の外向きカール１５２２ａ、１５２２ｂが続いていてもよい。従って、第２細長張出部１５４１ａ、１５４１ｂから、材料シートは、スラット１５１０ａ、１５１０ｂのそれぞれの長手軸１５１１ａ、１５１１ｂから半円形状に外向きに離れるようにカールして、半円形外向きカール１５２２ａ、１５２２ｂを形成してもよい。さらに、スラット１５１０ａ、１５１０ｂのそれぞれの第２細長翼状部１５２１ａ、１５２１ｂは、半円形外向きカール１５２２ａ、１５２２ｂから横方向に延びて、第２細長翼状部１５２１ａ、１５２１ｂがスラット１５１０ａ、１５１０ｂの主要部１５１２ａ、１５１２ｂに平行になり得るようにしてもよい。さらに、スラット１５１０ａ、１５１０ｂのそれぞれの第２長手縁部１５１６ａ、１５１６ｂにおける第２細長翼状部１５２１ａ、１５２１ｂには、細長材料シートの第２長手縁１５１５ａ、１５１５ｂをスラット１５１０ａ、１５１０ｂのそれぞれの長手軸１５１１ａ、１５１１ｂから長さ方向に離れるようにその後にカールして長手軸１５１１ａ、１５１１ｂに向かって後ろ向きにループすることから形成される後ろ向きカール１５２３ａ、１５２３ｂが続いていてもよい。従って、第２細長翼状部１５２１ａ、１５２１ｂから、材料シートを離れるようにカールさせた後、後方からスラット１５１０ａ、１５１０ｂのそれぞれの長手軸１５１１ａ、１５１１ｂに向かってループさせて、後ろ向きカール１５２３ａ、１５２３ｂを形成してもよい。半円形外向きカール１５２２ａ、１５２２ｂ、第２細長翼状部１５２１ａ、１５２１ｂ、及び後ろ向きカール１５２３ａ、１５２３ｂは、一緒になって、それぞれのスラット１５１０ａ、１５１０ｂの第２カール縁部を形成してもよい。スラット１５１０ａ、１５１０ｂの第２カール縁部は、それぞれのスラット１５１０ａ、１５１０ｂの第２連結要素であってもよい。様々な実施形態によると、第１スラット１５１０ａの第２カール縁部は、第２スラット１５１０ｂの第１カール縁部と係合して、連結して、又は相互作用して、２つのスラット１５１０ａ、１５１０ｂを一緒に枢動可能に結合するように構成されてもよい。様々な実施形態によると、スラット１５１０ａ、１５１０ｂのそれぞれの第２長手縁部１５１６ａ、１５１６ｂは、内向き屈曲１５４２ａ、１５４２ｂ、第２細長張出部１５４１ａ、１５４１ｂ、半円形外向きカール１５２２ａ、１５２２ｂ、第２細長翼状部１５２１ａ、１５２１ｂ、及び後ろ向きカール１５２３ａ、１５２３ｂを備えていてもよい。
【００６７】
様々な実施形態によると、第１長手縁部１５１４ａ、１５１４ｂにおける内向きカール１５２０ａ、１５２０ｂのカール半径は、第２長手縁部１５１６ａ、１５１６ｂにおける半円形外向きカール１５２２ａ、１５２２ｂのカール半径よりも小さくてもよい。さらに、第２長手縁部１５１６ａ、１５１６ｂにおける後ろ向きカール１５２１ａ、１５２１ｂのカール半径は、第１長手縁部１５１４ａ、１５１４ｂにおける内向きカール１５２０ａ、１５２０ｂのカール半径よりも小さくてもよい。従って、２つの隣接するスラット１５１０ａ、１５１０ｂは、例えば、第１スラットの第１長手縁部における内向きカールを第２スラットの第２長手縁部における外向きカールに、並びに第２スラットの第２長手縁部における後ろ向きカールを第１スラットの第１長手縁部における内向きカールに、それぞれ重ねること、嵌合させること、係合させること、相互作用させること、又は結合することによって互いに接合されて、第１スラットが第２スラットに枢動可能に結合されるようにしてもよい。様々な実施形態によると、各スラットは、連続して次々とさらなるスラットと重なり合うか、嵌合するか、連結するか、又は接合されるように構成されて、シャッター幕を形成するようにしてもよい。
【００６８】
図１５Ａ及び図１５Ｃに示されるように、使用中、結合されたスラット１５１０ａ、１５１０ｂは、吊り下げ態様にあってもよく、それによって、第２スラット１５１０ｂ（又は下部スラット）は、第１スラット１５１０ａ（又は上部スラット）から吊り下げられてもよい。これは、例えば、図１５Ａから１５Ｄを参照して説明された方法で２つ以上のスラット１５１０ａ、１５１０ｂを連結することから形成されたシャッター幕がシャッター組立体のドラムに巻き取られ、又はそこから巻き出される際に起こり得る。様々な実施形態によると、吊り下げ態様では、第２スラット１５１０ｂの第１長手縁部１５１４ｂの内向きカール１５２０ｂは、第１スラット１５１０ａの第２長手縁部１５１６ａの後ろ向きカール１５２３ａと係合してもよい。従って、第２スラット１５１０ｂは、第１スラット１５１０ａから枢動可能に吊り下げられてもよい。
【００６９】
図１５Ｂ及び図１５Ｄに示されるように、使用中、結合されたスラット１５１０ａ、１５１０ｂは、積み重ね態様にあってもよく、それによって、第１のスラット１５１０ａ（又は上部スラット）は、第２のスラット１５１０ｂ（又は下部スラット）上に積み重ねられるか又は座るか又は置かれてもよい。これは、例えば、図１５Ａから１５Ｄを参照して説明された方法で２つ以上のスラット１５１０ａ、１５１０ｂを連結することから形成されたシャッター幕が、シャッター組立体のドラムから完全に巻き出されて、シャッター幕が下降した状態で地面に置かれるようにした際に起こり得る。様々な実施形態によると、積み重ね態様では、第１スラット１５１０ａの第２長手縁部１５１６ａの外向きカール１５２０ａは、第２スラット１５１０ｂの第１長手縁部１５１４ｂの内向きカール１５２０ｂ上に積み重ねられ又は座り又は置かれて、第１スラット１５１０ａが第２スラット１５１０ｂによって支持されているようにしてもよい。
【００７０】
図１６は、様々な実施形態による垂直ローラーシャッター１６００の概略側面図を示す。示されるように、垂直ローラーシャッター１６００は、一対のシャッター幕組立体１６０６、１６０８を備えていてもよい。垂直ローラーシャッター１６００は、一対のシャッター幕組立体１６０６、１６０８が垂直方向に上げ下げされ得るように構成されてもよい。従って、下降した状態にあるとき、一対のシャッター幕組立体１６０６、１６０８は、互いに離間かつ平行となって、一対のシャッター幕組立体１６０６、１６０８が互いに向き合うようにしてもよい。様々な実施形態によると、一対のシャッター幕組立体１６０６、１６０８のそれぞれは、図１５Ａ乃至図１５Ｄのスラット１５１０ａ、１５１０ｂによって形成されたシャッター幕組立体であってもよい。従って、複数のスラット１５１０ａ、１５１０ｂは、それぞれのシャッター幕組立体１６０６、１６０８を形成するために、次々に枢動可能に連結されてもよい。様々な実施形態によると、それぞれのシャッター幕組立体１６０６、１６０８のそれぞれの断熱層１６５０、１６５０’は、それぞれのシャッター幕組立体１６０６、１６０８のそれぞれの表面に並べられて、それらが向かい合うようにしてもよい。
【００７１】
様々な実施形態によると、それぞれの保持機構１６６０、１６６０’（図１Ａ及び図１Ｂの保持機構１６０と同様）をそれぞれの断熱層１６５０、１６５０’上に配置して、それぞれの断熱層１６５０、１６５０’の一部を少なくとも２つの隣接する枢動可能に連結したスラットのうちの１つのそれぞれの第１受容部に押し込み、それぞれの断熱層１６５０、１６５０’のさらなる部分を少なくとも２つの隣接する枢動可能に連結したスラットのうちの上記１つのそれぞれの第２受容部に押し込んで、それぞれの保持機構１６６０、１６６０’が、少なくとも２つの隣接する枢動可能に連結したスラットのうちの上記１つのそれぞれの第１受容部及び第２受容部と協働して、それぞれの保持機構１６６０、１６６０’と少なくとも２つの隣接する枢動可能に連結したスラットとの間にそれぞれの断熱層１６５０、１６５０’を保持し得るようにしてもよい。様々な実施形態によると、少なくとも２つの隣接する枢動可能に連結したスラットのうちの１つのそれぞれの第１受容部及び第２受容部は、少なくとも２つの隣接する枢動可能に連結したスラットのうちの上記１つの一対の屈曲部であってもよい。前記一対の屈曲部のそれぞれは、鋭角を形成していてもよい。
【００７２】
様々な実施形態によると、それぞれの押出部材（図１Ａ及び図１Ｂの第１押出部材１７０及び第２押出部材１７２と同様）は、それぞれの断熱層１６５０、１６５０’とそれぞれの保持機構１６６０、１６６０’との間に配置されてもよい。
【００７３】
様々な実施形態によると、垂直ローラーシャッター１６００は、１つの単一のドラム１６０７を備えていてもよい。従って、第１シャッター幕組立体１６０６及び第２シャッター幕組立体１６０８の両方が、ドラム１６０７に取り付けられ、ドラム１６０７の周りに巻き付けられてもよい。第１シャッター幕組立体１６０６及び第２シャッター幕組立体１６０８は、第１シャッター幕組立体１６０６及び第２シャッター幕組立体１６０８の両方がドラム１６０７の周りに巻かれるときにそれぞれの断熱層１６５０、１６５０’が向かい合うように配置されてもよい。様々な実施形態によると、第１シャッター幕組立体１６０６及び第２シャッター幕組立体１６０８は、シャッター幕組立体１１０６、１１０８の両方が同期的に同時に巻き取られ又は巻き出され得るようにドラム１１０７に取り付けられてもよい。
【００７４】
様々な実施形態によると、一対のシャッター幕組立体１６０６、１６０８は、操作可能である一対のシャッター幕組立体１６０６、１６０８が１つのものとして（又は単一の一体型物品のように）操作又は移動できるように構成されてもよい。
【００７５】
様々な実施形態によると、第１シャッター幕組立体１６０６及び第２シャッター幕組立体１６０８は、足コンポーネント１６９０によってそれぞれの下端で互いに接合されて、一対のシャッター幕組立体１６０６、１６０８が単一のユニットを形成するように接合され得るようにしてもよい。このようにして、一対のシャッター幕組立体１６０６、１６０８は、一対のシャッター幕組立体１６０６、１６０８が１つのものとして（又は単一の一体型物品のように）移動し得るように動作可能であってもよい。様々な実施形態によると、足コンポーネント１６９０は、第１長手方向側が第１シャッター幕組立体１６０６の自由端に取り付けられ、第２長手方向側が第２シャッター幕組立体１６０８の自由端に取り付けられる、略Ｕ字状チャネルであってもよい。様々な実施形態によると、第１シャッター幕組立体１６０６及び第２シャッター幕組立体１６０８は、図５Ｂに示されるように互いに接合されてもよい。
【００７６】
様々な実施形態によると、一対のシャッター幕組立体１６０６、１６０８のそれぞれは、図１５Ａ乃至図１５Ｄのスラット１５１０ａ、１５１０ｂによって形成されてもよい。従って、複数のスラットのそれぞれの任意の２つの隣接する（又は隣り合った）スラット１５１０ａ、１５１０ｂ間に横方向の余裕（又は横方向に移動するある程度の自由度）があり、それぞれの２つの隣接するスラット１５１０ａ、１５１０ｂがそれぞれの２つの隣接するスラット１５１０ａ、１５１０ｂの位置及び向きに応じて巻き取られたり巻き出されたりする間、吊り下げ態様又は積み重ね態様（図１５Ａ乃至図１５Ｄを参照）になるようにしてもよい。様々な実施形態によると、任意の２つの隣接するスラット１５１０ａ、１５１０ｂ間の横方向の余裕は、シャッター幕組立体１６０６、１６０８のそれぞれの複数のスラットの積み重ね性を提供して、一対の幕組立体１６０６、１６０８の巻き取り又は巻き出しを単一ユニットとして容易にするようにしてもよい。様々な実施形態によると、シャッター幕組立体１６０６、１６０８のそれぞれの複数のスラットの積み重ね性は、それぞれのシャッター幕組立体１６０６、１６０８が独立して長く又は短くできるようにして、直径が常に変化することによる巻き取り及び巻き出し中のシャッター幕組立体１６０６、１６０８のそれぞれの長さの違いに対応するようにしてもよい。特に、ドラム１６０７の周りに巻きつけられるとき、一対のシャッター幕組立体１６０６、１６０８のうちの一方が他方の上にあり得るので、ドラム１６０７から解放されるそれぞれのシャッター幕組立体１６０６、１６０８のそれぞれの長さは、一対の幕組立体１６０６、１６０８を単一の一体型物品として動作可能又は移動可能とするために、互いに異なっていなければならない。例えば、図１６に示されるように、足コンポーネント１６９０の近くの第１シャッター幕組立体１６０６の２つのスラット１５１０ａ、１５１０ｂは、吊り下げ態様にあり、足コンポーネント１６９０の近くの第２シャッター幕組立体１６０８の２つのスラット１５１０ａ’、１５１０ｂ’は、積み重ね態様にあってもよい。示されるように、ドラム１６０７から吊り下がっている第１シャッター幕組立体１６０６の長さは、ドラム１６０８から吊り下がっている第２シャッター幕組立体１６０８の長さより長くてもよい。従って、一対のシャッター幕組立体１６０６、１６０８の一体性を維持するために、第２シャッター幕組立体１６０８のスラットのいくつかは、長さの違いに対応するように積み重ねられなければならない。従って、図１５Ａ乃至図１５Ｄのスラット１５１０ａ、１５１０ｂによって形成された一対のシャッター幕組立体１６０６、１６０８は、一対の幕組立体１６０６、１６０８の巻き取り又は巻き出しを単一ユニットとして容易にしてもよい。
【００７７】
様々な実施形態によると、垂直ローラーシャッター１６００は、モーター組立体（図示せず）を備えていてもよい。様々な実施形態によると、ベルト又はチェーン機構が、ドラム１６０７をモーター組立体に結合して、モーター組立体がドラム１６０７の回転を駆動して、シャッター幕組立体１６０６、１６０８の両方を同期的に同時に巻き取ったり巻き出したりするようにしてもよい。従って、モーター組立体は、シャッター幕組立体１６０６、１６０８の両方を巻き取るために第１方向（例えば、時計回りの方向）に回転するようにドラム１６０７を駆動し、シャッター幕組立体１６０６、１６０８の両方を巻き出すために第２方向（例えば、反時計回りの方向）に回転するようにドラム１６０７を駆動してもよい。
【００７８】
様々な実施形態によると、垂直ローラーシャッター１６００が設置される壁開口部の両側に沿って、ガイドレール１６９９（又はシャッターガイドチャネル）を設けてもよい。様々な実施形態によると、一対のシャッター幕組立体１６０６、１６０８は、壁開口部の両側の単一ガイドレール１６９９（又はシャッターガイドチャネル）内に挿入又はスロットイン又は置かれて、一対のシャッター幕組立体１６０６、１６０８が、壁開口部の両側の単一ガイドレール１６９９に沿って単一のユニットとして一緒に移動し得るようにしてもよい。
【００７９】
図１７Ａ乃至図１７Ｃは、様々な実施形態による、垂直ローラーシャッター１６００のシャッター幕組立体１６０６、１６０８のそれぞれの複数のスラットが、足コンポーネント１６９０が床１７５５に到達した後でも積み重なり続け得る方法のシーケンスを示す。図１７Ａに示されるように、それぞれの足コンポーネント１６９０の近くのそれぞれのシャッター幕組立体１６０６、１６０８の複数のスラットは、床１７５５に近づくとき、吊り下げ態様にあり得る。図１７Ｂでは、それぞれの足コンポーネント１６９０が床１７５５に接触すると、最も下のスラットが積み重なり始め得る。図１７Ｃでは、より多くのスラットがドラム１６０７から解放されると、垂直ローラーシャッター１６００のシャッター幕組立体１６０６、１６０８のそれぞれの複数のスラットは、それぞれのシャッター幕組立体１６０６、１６０８がしっかりと積み重ねられて連結されたスラットの剛性パネルを形成し得るまで、互いに積み重なり続け得る。このようにして、複数のスラットがしっかりと積み重ねられて連結されることで、衝撃及び／又はより強い風力に抵抗する（又は耐える）シャッター能力を向上させてもよい。
【００８０】
様々な実施形態によると、図１６及び図１７Ａ乃至図１７Ｃは、一対のシャッター幕組立体１６０６、１６０８を備えたローラーシャッターの実施形態を示すが、ローラーシャッターは、２つ又は３つ又はそれ以上のシャッター幕組立体を備えていてもよく、図１６の垂直ローラーシャッター１６００と同様に機能してもよいことが理解される。さらに、図１６の垂直ローラーシャッター１６００の特徴は、側方ローラーシャッターにも適用可能にしてもよいことも理解される。
【００８１】
図１８は、様々な実施形態による垂直ローラーシャッター１８００の概略側面図を示す。図１８の垂直ローラーシャッター１８００は、図１８の垂直ローラーシャッター１８００が断熱層１６５０、１６５０’及び／又は保持機構１６６０、１６６０’及び／又は押出部材を備えていないという点で、図１６の垂直ローラーシャッター１６００とは異なる。様々な実施形態によると、図１８の垂直ローラーシャッター１８００は、防火なしの図１６の垂直ローラーシャッター１６００の変形であってもよい。様々な実施形態によると、図１８の垂直ローラーシャッター１８００は、図１６の垂直ローラーシャッター１６００と同様に、一対のシャッター幕組立体１８０６、１８０８を備えていてもよい。同様に、一対のシャッター幕組立体１８０６、１８０８のそれぞれは、図１５Ａ乃至図１５Ｄのスラット１５１０ａ、１５１０ｂによって形成されたシャッター幕組立体であってもよい。従って、複数のスラット１５１０ａ、１５１０ｂは、次々に枢動可能に連結されて、それぞれのシャッター幕組立体１８０６、１８０８を形成してもよい。様々な実施形態によると、図１８の垂直ローラーシャッター１８００の第１シャッター幕組立体１８０６及び第２シャッター幕組立体１８０８は、図１６の垂直ローラーシャッター１６００と同様に、それぞれの下端で互いに接合されてもよい。様々な実施形態によると、図１８の垂直ローラーシャッター１８００のそれぞれのシャッター幕組立体１８０６、１８０８のそれぞれの複数のスラットの積み重ね性により、衝撃及び／又はより強い風力に抵抗する（又は耐える）シャッター能力を向上させ得る、それぞれの複数のスラットをしっかりと積み重ねられて連結されたスラットの剛性パネルに積み重ねることを可能にしてもよい。
【００８２】
様々な実施形態によると、ローラーシャッター用のスラット組立体が提供されている。前記スラット組立体は、断熱層を備えていてもよい。前記スラット組立体は、第１受容部及び第２受容部を有するスラットをさらに備えていてもよい。前記スラットには、前記断熱層が並べられていてもよい。前記スラット組立体は、前記断熱層の第１部分を前記スラットの前記第１受容部に付勢し、前記断熱層の第２部分を前記スラットの前記第２受容部に付勢するように前記断熱層上に配置された保持機構（又は少なくとも１つの保持機構）をさらに備えて、前記保持機構が前記スラットの前記第１受容部及び前記第２受容部と協働して、前記断熱層を穴あけ又は貫通することなく、前記保持機構と前記スラットとの間に前記断熱層を保持し得るようにしてもよい。
【００８３】
様々な実施形態によると、前記スラットの前記第１受容部及び前記第２受容部は、前記スラットの一対の屈曲部であってもよい。前記一対の屈曲部のそれぞれは、鋭角を形成していてもよい。様々な実施形態によると、前記スラットの前記一対の屈曲部は、Ｖ字形断面又はＵ字形断面又は馬蹄形断面を有する一対の溝を形成してもよい。
【００８４】
様々な実施形態によると、前記保持機構は、前記断熱層の前記第１部分を前記スラットの第１受容部に押し込み、前記断熱層の前記第２部分を前記スラットの第２受容部に押し込んで、前記保持機構が前記スラットの前記第１受容部及び前記第２受容部と協働して前記保持機構と前記スラットとの間に前記断熱層を保持するようにしてもよい。
【００８５】
様々な実施形態によると、前記スラットの前記第１受容部及び前記第２受容部は、前記スラットに沿って長手方向に延びてもよく、互いに平行であってもよい。
【００８６】
様々な実施形態によると、前記スラットの前記第１受容部及び前記第２受容部は、一対の溝であってもよい。様々な実施形態によると、前記一対の溝は、互いに対向していてもよい。様々な実施形態によると、前記一対の溝は、前記スラットの一対の屈曲部である。
【００８７】
様々な実施形態によると、前記スラット組立体は、第１押出部材をさらに備えていてもよい。前記第１押出部材は、前記断熱層の前記第１部分と前記保持機構との間に配置されてもよい。前記第１押出部材は、前記一対の溝の第１溝と整列されてもよい。様々な実施形態によると、前記第１押出部材は、Ｖ字形断面又はＵ字形断面又は馬蹄形断面を有するバーを備えていてもよい。
【００８８】
様々な実施形態によると、前記スラット組立体は、第２押出部材をさらに備えていてもよい。前記第２押出部材は、前記断熱層の前記第２部分と前記保持機構との間に配置されてもよい。前記第２押出部材は、前記一対の溝の第２溝と整列されてもよい。様々な実施形態によると、前記第２押出部材は、Ｖ字形断面又はＵ字形断面又は馬蹄形断面を有するバーを備えていてもよい。
【００８９】
様々な実施形態によると、前記保持機構は、予圧されて、前記断熱層の前記第１部分及び前記第２部分を前記スラットのそれぞれの第１受容部及び第２受容部に付勢するための膨張力を供給してもよい。
【００９０】
様々な実施形態によると、前記保持機構は、前記断熱層の前記第１部分を前記スラットの前記第１受容部に押し込み、前記断熱層の前記第２部分を前記スラットの前記第２受容層に押し込むように構成されてもよい。
【００９１】
様々な実施形態によると、前記保持機構は、前記スラットの前記第１受容部と前記第２受容部との間の距離よりも長い長さを有し得る弾性材料のストリップの形態の挿入体を備えていてもよい。
【００９２】
様々な実施形態によると、前記スラットの第１長手縁部が、前記スラットの長手軸に向かって内向きにカールされて第１カール縁部を形成してもよく、前記スラットの第２長手縁部が、前記スラットの長手軸から離れるように外向きにカールされて第２カール縁部を形成してもよい。様々な実施形態によると、前記第１カール縁部は、前記第２カール縁部よりも小さいカール半径を有してもよい。
【００９３】
様々な実施形態によると、前記断熱層は、２つの断熱布の層の間に挟まれた断熱ウールの層を備えていてもよい。前記断熱ウールとして、セラミックファイバーウール又はロックウールなどが挙げられる。前記断熱布として、シリカ布又はガラス繊維布などが挙げられる。
【００９４】
様々な実施形態によると、前記スラット組立体は、２つのサイドカバーをさらに備えていてもよい。前記スラットの一端に１つのサイドカバーを取り付けてもよい。各サイドカバーは、前記スラットのそれぞれの端に沿って前記断熱層のそれぞれの縁部を覆うように構成されてもよい。
【００９５】
様々な実施形態によると、ローラーシャッターが提供されている。前記ローラーシャッターは、次々に枢動可能に連結してシャッター幕を形成する複数のスラットを備えていてもよい。前記ローラーシャッターは、前記複数のスラットのうちの少なくとも２つの隣接する枢動可能に連結したスラットにわたって並べられた断熱層をさらに備えていてもよい。前記ローラーシャッターは、前記断熱層の一部を少なくとも２つの隣接する枢動可能に連結したスラットのうちの１つの第１受容部に付勢し、前記断熱層のさらなる一部を前記少なくとも２つの隣接する枢動可能に連結したスラットのうちの１つの第２受容部に付勢するように前記断熱層上に配置された少なくとも１つの保持機構をさらに備えて、前記少なくとも１つの保持機構が前記少なくとも２つの隣接する枢動可能に連結したスラットのうちの前記１つの前記第１受容部及び前記第２受容部と協働して、前記断熱層を穴あけ又は貫通することなく、前記少なくとも１つの保持機構と前記少なくとも２つの隣接する枢動可能に連結したスラットとの間に前記断熱層を保持し得るようにしてもよい。
【００９６】
様々な実施形態によると、前記少なくとも２つの隣接する枢動可能に連結したスラットのうちの前記１つの前記第１受容部及び前記第２受容部は、前記少なくとも２つの隣接する枢動可能に連結したスラットのうちの前記１つの一対の屈曲部であってもよい。前記一対の屈曲部のそれぞれは、鋭角を形成していてもよい。様々な実施形態によると、前記少なくとも２つの隣接する枢動可能に連結したスラットのうちの前記１つの前記一対の屈曲部は、Ｖ字形又はＵ字形又は馬蹄形の断面を有する一対の平行な対向溝を形成してもよい。
【００９７】
様々な実施形態によると、前記少なくとも１つの保持機構は、前記断熱層の一部を少なくとも２つの隣接する枢動可能に連結したスラットのうちの１つの第１受容部に押し込み、前記断熱層のさらなる一部を前記少なくとも２つの隣接する枢動可能に連結したスラットのうちの１つの第２受容部に押し込んで、前記少なくとも１つの保持機構が前記少なくとも２つの隣接する枢動可能に連結したスラットのうちの前記１つの前記第１受容部及び前記第２受容部と協働して前記少なくとも１つの保持機構と前記少なくとも２つの隣接する枢動可能に連結したスラットとの間に前記断熱層を保持するようにしてもよい。
【００９８】
様々な実施形態によると、前記少なくとも２つの隣接する枢動可能に連結したスラットのうちの前記１つの前記第１受容部及び前記第２受容部は、一対の平行な対向溝であってもよい。様々な実施形態によると、前記一対の平行な対向溝は、前記少なくとも２つの隣接する枢動可能に連結したスラットのうちの前記１つの一対の屈曲部であってもよい。
【００９９】
様々な実施形態によると、前記ローラーシャッターは、少なくとも１つの押出部材をさらに備えていてもよい。前記少なくとも１つの押出部材は、前記断熱層と前記少なくとも１つの保持機構との間に配置されてもよい。前記少なくとも１つの押出部材は、前記少なくとも２つの隣接する枢動可能に連結したスラットのうちの前記１つの前記一対の平行な対向溝のうちの１つの溝と整列されてもよい。様々な実施形態によると、前記少なくとも１つの第１押出部材は、Ｖ字形断面又はＵ字形断面又は馬蹄形断面を有するバーを備えていてもよい。
【０１００】
様々な実施形態によると、前記少なくとも１つの保持機構は、予圧されて、前記断熱層のそれぞれの部分を前記少なくとも２つの隣接する枢動可能に連結したスラットのうちの前記１つのそれぞれの前記第１受容部及び前記第２受容部に付勢するための膨張力を供給してもよい。
【０１０１】
様々な実施形態によると、前記少なくとも１つの保持機構は、前記断熱層のそれぞれの部分を前記少なくとも２つの隣接する枢動可能に連結したスラットのうちの前記１つのそれぞれの前記第１受容部及び前記第２受容部に押し込むように構成されてもよい。
【０１０２】
様々な実施形態によると、前記少なくとも１つの保持機構は、前記少なくとも２つの隣接する枢動可能に連結したスラットのうちの前記１つの前記第１受容部と前記第２受容部との間の距離よりも長い長さを有し得る弾性材料のストリップの形態の挿入体を備えていてもよい。
【０１０３】
様々な実施形態によると、前記断熱層は、２つの断熱布の層の間に挟まれた断熱ウールの層を備えていてもよい。前記断熱ウールとして、セラミックファイバーウール又はロックウールなどが挙げられる。前記断熱布として、シリカ布又はガラス繊維布などが挙げられる。
【０１０４】
様々な実施形態によると、前記ローラーシャッターは、前記複数のスラットを２組備えて、２つのシャッター幕を形成してもよい。下降した状態にあるとき、前記２つのシャッター幕は、間隔を空けて置かれてもよく、互いに直接向かい合っていてもよい。
【０１０５】
様々な実施形態によると、前記２つのシャッター幕の足部が、前記２つのシャッター幕の足部間のギャップを断熱及びシールするように協働するように構成されてもよい。様々な実施形態によると、前記２つのシャッター幕の前記足部は、重なり合った配置の断熱ブロックを備えて前記２つのシャッター幕の前記足部間のギャップをシールしてもよい。従って、第１シャッター幕の足部の１つ以上の断熱ブロックは、第２シャッター幕の足部の１つ以上の断熱ブロックと重なってもよい。
【０１０６】
様々な実施形態によると、前記２つのシャッター幕の第１シャッター幕が、第１モーターによって駆動される第１ドラムに取り付けられてもよく、前記２つのシャッター幕の第２シャッター幕が、第２モーターによって駆動される第２ドラムに取り付けられてもよい。様々な実施形態によると、前記ドラムの両方の回転を協調的に同時に同じ方向に駆動することにより、前記シャッター幕の両方を同期的に同時に巻き取り又は巻き出してもよい。
【０１０７】
様々な実施形態によると、前記２つのシャッター幕の第１シャッター幕が、第１モーターによって駆動される第１ドラムに取り付けられてもよく、前記２つのシャッター幕の第２シャッター幕が、第２モーターによって駆動される第２ドラムに取り付けられてもよい。様々な実施形態によると、前記ドラムの両方の回転を協調的に同時に反対方向に駆動することにより、前記シャッター幕の両方を同期的に同時に巻き取り又は巻き出してもよい。
【０１０８】
様々な実施形態によると、前記２つのシャッター幕は、第１モーターによって駆動される１つの単一ドラムに取り付けられてもよく、前記２つのシャッター幕は、前記ドラムの回転を駆動することにより前記２つのシャッター幕を同期的に同時に巻き取り又は巻き出し得るように前記１つの単一のドラムに取り付けられてもよい。様々な実施形態によると、各シャッター幕の前記複数のスラットのそれぞれの連結要素が、前記少なくとも２つの隣接する枢動可能に連結したスラット間に（横並び構成で）横方向の余裕を提供して前記少なくとも２つの隣接する枢動可能に連結したスラットが吊り下げ態様又は積み重ね態様になるように連結するように構成されてもよい。前記吊り下げ態様では、前記少なくとも２つの隣接する枢動可能に連結したスラットは、互いに横方向に延びて、それぞれのシャッター幕を長くし得るようにしてもよい。前記積み重ね態様では、前記少なくとも２つの隣接する枢動可能に連結したスラットは、互いに横方向に閉じて、それぞれのシャッター幕を短くし得るようにしてもよい。様々な実施形態によると、前記２つのシャッター幕の下端は、互いに固定して結合されて、前記２つのシャッター幕が単一ユニットを形成するように結合され得るようにしてもよい。
【０１０９】
様々な実施形態によると、ローラーシャッターが提供されている。前記ローラーシャッターは、１つの単一ドラムを備えていてもよい。前記ローラーシャッターは、前記１つの単一ドラムの周りに巻かれ得るように前記１つの単一ドラムに取り付けられた２つのシャッター幕を備えていてもよい。前記２つのシャッター幕のそれぞれは、次々に枢動可能に連結した複数のスラットを備えていてもよい。各シャッター幕の前記複数のスラットのそれぞれの連結要素が、前記少なくとも２つの隣接する枢動可能に連結したスラット間に（横並び構成で）横方向の余裕を提供するように連結するように構成されて、それぞれの前記複数のスラットの前記２つの隣接する枢動可能に連結したスラットが、吊り下げ態様（前記２つのスラットが互いに横方向に延びている）又は積み重ね態様（前記２つのスラットが横方向に閉じて互いに積み重ねられている）のいずれかにあるようにしてもよい。様々な実施形態によると、前記２つのシャッター幕は、それぞれのシャッター幕のそれぞれの下端で一緒に固定して接合されてもよい。
【０１１０】
様々な実施形態によると、前記ローラーシャッターは、それぞれの前記シャッター幕の前記複数のスラットにわたって並べられた断熱層をさらに備えていてもよい。様々な実施形態によると、前記ローラーシャッターは、前記断熱層の第１部分を前記シャッター幕のそれぞれの前記複数のスラットのうちの１つの第１受容部に付勢し、前記断熱層の第２部分を前記シャッター幕のそれぞれの前記複数のスラットのうちの前記１つの第２受容部に付勢するように前記断熱層上に配置された少なくとも１つの保持機構をさらに備えて、前記少なくとも１つの保持機構が前記シャッター幕のそれぞれの前記複数のスラットのうちの前記１つの前記第１受容部及び前記第２受容部と協働して、前記断熱層を穴あけ又は貫通することなく、前記少なくとも１つの保持機構と前記シャッター幕のそれぞれの前記複数のスラットとの間に前記断熱層を保持し得るようにしてもよい。
【０１１１】
様々な実施形態によると、前記ローラーシャッターは、前記断熱層の前記第１部分と前記少なくとも１つの保持機構の第１端との間に配置された第１押出部材をさらに備えていてもよい。様々な実施形態によると、前記ローラーシャッターは、前記断熱層の前記第２部分と前記少なくとも１つの保持機構の第２端との間に配置された第２押出部材をさらに備えていてもよい。
【０１１２】
様々な実施形態によると、前記少なくとも２つの隣接する枢動可能に連結したスラットのうちの前記１つの前記第１受容部及び前記第２受容部は、前記少なくとも２つの隣接する枢動可能に連結したスラットのうちの前記１つの一対の屈曲部であってもよい。また、前記一対の屈曲部のそれぞれは、鋭角であってもよい。様々な実施形態によると、前記少なくとも２つの隣接する枢動可能に連結したスラットの前記１つの前記一対の屈曲部は、一対の平行な対向溝を形成してもよい。様々な実施形態によると、前記第１及び第２押出部材は、対応する前記溝に整列されてもよい。
【０１１３】
様々な実施形態によると、スラット組立体を製造する方法が提供されている。前記方法は、第１受容部及び第２受容部を有するスラットを設けることを含んでいてもよい。前記方法は、前記スラット上に断熱層を並べることをさらに含んでいてもよい。前記方法は、前記断熱層の第１部分を前記スラットの前記第１受容部に付勢し、前記断熱層の第２部分を前記スラットの前記第２受容部に付勢するように保持機構（又は少なくとも１つの保持機構）を前記断熱層上に配置することをさらに含んで、前記保持機構が前記スラットの前記第１受容部及び前記第２受容部と協働して、前記断熱層を穴あけ又は貫通することなく、前記保持機構と前記スラットとの間に前記断熱層を保持し得るようにしてもよい。
【０１１４】
様々な実施形態によると、前記スラットの前記第１受容部及び前記第２受容部は、前記スラットの一対の屈曲部であってもよい。前記一対の屈曲部のそれぞれは、鋭角を形成していてもよい。
【０１１５】
様々な実施形態によると、前記保持機構は、前記断熱層の第１部分を前記スラットの第１受容部に押し込み、前記断熱層の第２部分を前記スラットの第２受容部に押し込んで、前記保持機構が前記スラットの前記第１受容部及び前記第２受容部と協働して前記保持機構と前記スラットとの間に前記断熱層を保持するようにしてもよい。
【０１１６】
様々な実施形態によると、前記方法は、本明細書で説明されるような様々な実施形態による前記スラット組立体を構成することをさらに含んでもよい。
【０１１７】
様々な実施形態によると、ローラーシャッターの方法が提供されている。前記方法は、次々に枢動可能に連結してシャッター幕を形成する複数のスラットを設けることを含んでいてもよい。前記方法は、前記複数のスラットのうちの少なくとも２つの隣接する枢動可能に連結したスラットにわたって断熱層を並べることをさらに含んでいてもよい。前記方法は、前記断熱層の一部を少なくとも２つの隣接する枢動可能に連結したスラットのうちの１つの第１受容部に付勢し、前記断熱層のさらなる一部を前記少なくとも２つの隣接する枢動可能に連結したスラットのうちの１つの第２受容部に付勢するように前記断熱層上に少なくとも１つの保持機構を配置することをさらに含んで、前記少なくとも１つの保持機構が前記少なくとも２つの隣接する枢動可能に連結したスラットのうちの前記１つの前記第１受容部及び前記第２受容部と協働して、前記断熱層を穴あけ又は貫通することなく、前記保持機構と前記少なくとも２つの隣接する枢動可能に連結したスラットとの間に前記断熱層を保持し得るようにしてもよい。
【０１１８】
様々な実施形態によると、前記少なくとも２つの隣接する枢動可能に連結したスラットのうちの前記１つの前記第１受容部及び前記第２受容部は、前記少なくとも２つの隣接する枢動可能に連結したスラットのうちの前記１つの一対の屈曲部であってもよい。前記一対の屈曲部のそれぞれは、鋭角を形成していてもよい。
【０１１９】
様々な実施形態によると、前記少なくとも１つの保持機構は、前記断熱層の一部を前記少なくとも２つの隣接する枢動可能に連結したスラットのうちの１つの第１受容部に押し込み、前記断熱層のさらなる一部を前記少なくとも２つの隣接する枢動可能に連結したスラットのうちの前記１つの第２受容部に押し込んで、前記少なくとも１つの保持機構が前記少なくとも２つの隣接する枢動可能に連結したスラットのうちの前記１つの前記第１受容部及び前記第２受容部と協働して前記少なくとも１つの保持機構と前記少なくとも２つの隣接する枢動可能に連結したスラットとの間に前記断熱層を保持するようにしてもよい。
【０１２０】
様々な実施形態によると、前記方法は、本明細書で説明されるような様々な実施形態による前記ローラーシャッターを構成することをさらに含んでもよい。
【０１２１】
様々な実施形態は、留め具で断熱層を穴あけ又は貫通することなく、ローラーシャッターのシャッター幕に固定され又は取り付けられ又は締結された断熱層を備える、防火シャッター幕組立体又は防火ローラーシャッターを提供している。従って、防火シャッター幕組立体又は防火ローラーシャッターは、断熱層を通って「熱橋」を形成し得る任意の留め具を不要とし得る。それ故、断熱層は無傷となり得、断熱層の断熱完全性は、断熱層がシャッター幕又はローラーシャッターに断熱を提供するのに効果的であり得るように完全に維持され得る。同時に、断熱層の位置ずれ、膨らみ、裂け目、又は過伸展を最小限に抑え、又は排除するように断熱層がシャッター幕と一緒に巻かれたり、広げたりするように断熱層を適切に固定、取り付け、又は締結してもよい。
【０１２２】
本発明は、特定の実施形態を参照して具体的に示され、説明されたが、当業者からは、添付の請求項によって定義される本発明の適用範囲から逸脱することなく、その中で様々な変更、変形例、形状や詳細のバリエーションがあってもよいことが理解されるべきである。本発明の適用範囲は、添付の請求項によってそのように示され、請求項の意味及び同等の範囲内の全ての変更は、そのため、包含されるものと意図される。
【図１Ａ】
2021508796.tif 000003
【図１Ｂ】
2021508796.tif 000004
【図１Ｃ】
2021508796.tif 000005
【図１Ｄ】
2021508796.tif 000006
【図２Ａ】
2021508796.tif 000007
【図２Ｂ】
2021508796.tif 000008
【図３Ａ】
2021508796.tif 000009
【図３Ｂ】
2021508796.tif 000010
【図３Ｃ】
2021508796.tif 000011
【図４】
2021508796.tif 000012
【図５Ａ】
2021508796.tif 000013
【図５Ｂ】
2021508796.tif 000014
【図６】
2021508796.tif 000015
【図７】
2021508796.tif 000016
【図８】
2021508796.tif 000017
【図９】
2021508796.tif 000018
【図１０Ａ】
2021508796.tif 000019
【図１０Ｂ】
2021508796.tif 000020
【図１０Ｃ】
2021508796.tif 000021
【図１０Ｄ】
2021508796.tif 000022
【図１１Ａ】
2021508796.tif 000023
【図１１Ｂ】
2021508796.tif 000024
【図１２Ａ】
2021508796.tif 000025
【図１２Ｂ】
2021508796.tif 000026
【図１３】
2021508796.tif 000027
【図１４Ａ】
2021508796.tif 000028
【図１４Ｂ】
2021508796.tif 000029
【図１５Ａ−１５Ｂ】
2021508796.tif 000030
【図１５Ｃ】
2021508796.tif 000031
【図１５Ｄ】
2021508796.tif 000032
【図１６】
2021508796.tif 000033
【図１７Ａ−１７Ｃ】
2021508796.tif 000034
【図１８】
2021508796.tif 000035
【国際調査報告】
2021508796.tif 000036
2021508796.tif 000037
2021508796.tif 000038